(57)【要約】  写真照明装置の発光の開始が、カメラの第１のシャッタブレードがカメラの画像取得センサの露光を開始した後、かつ第１のシャッタブレードの移動停止に関連付けられたＸ同期の前に行われるように、カメラにより画像を取得するために、写真照明装置を同期させるシステムおよび方法。
2012517624.tif 000002
【特許請求の範囲】
【請求項１】
カメラによる画像取得のために、写真照明装置を同期させる方法であって、
光が前記カメラの画像取得センサの撮像部分に通るように、前記カメラの第１のシャッタブレードを移動させること、
前記第１のシャッタブレードが前記画像取得センサの露光を開始した後、かつ前記第１のシャッタブレードの移動停止に関連付けられたＸ同期前、前記写真照明装置の発光を開始すること
を含む、方法。
【請求項２】
前記発光を開始することは、前記第１のシャッタブレードが前記センサの前記撮像部分への通光をもはや妨げない位置に移動する約１ミリ秒前以後の時点で、前記写真照明装置のフラッシュプロファイルの初期臨界点が発生するように行われる、請求項１に記載の方法。
【請求項３】
前記発光を開始することは、前記第１のシャッタブレードが前記センサの前記撮像部分への通光をもはや妨げない位置に移動する約５００マイクロ秒前以後の時点で、前記写真照明装置のフラッシュプロファイルの初期臨界点が発生するように行われる、請求項１に記載の方法。
【請求項４】
前記発光を開始することは、前記第１のシャッタブレードが前記センサの前記撮像部分への通光をもはや妨げない位置に移動する約２５０マイクロ秒前以後の時点で、前記写真照明装置のフラッシュプロファイルの初期臨界点が発生するように行われる、請求項１に記載の方法。
【請求項５】
前記発光を開始することは、前記第１のシャッタブレードが前記センサの前記撮像部分への通光をもはや妨げない位置に移動した後の時点で、前記写真照明装置のフラッシュプロファイルの初期臨界点が発生するように行われる、請求項１に記載の方法。
【請求項６】
前記発光を開始することは、前記第１のシャッタブレードが前記センサの前記撮像部分への通光をもはや妨げない位置に移動する時間と略同じ時間で、前記写真照明装置のフラッシュプロファイルの初期臨界点が発生するように行われる、請求項１に記載の方法。
【請求項７】
前記発光を開始することは、前記第１のシャッタブレードが移動を停止する前に、前記写真照明装置のフラッシュプロファイルの初期臨界点が発生するように行われる、請求項１に記載の方法。
【請求項８】
前記発光を開始することは、前記カメラの第２のシャッタブレードが前記センサの前記撮像部分への通光の遮断を開始する点に移動した後約５００マイクロ秒未満で、前記写真照明装置のフラッシュプロファイルの終期臨界点が発生するように行われる、請求項１に記載の方法。
【請求項９】
前記発光を開始することは、前記カメラの第２のシャッタブレードが前記センサの前記撮像部分への通光の遮断を開始する点に移動した後約２５０マイクロ秒未満で、前記写真照明装置のフラッシュプロファイルの終期臨界点が発生するように行われる、請求項１に記載の方法。
【請求項１０】
前記発光を開始することは、第２のシャッタブレードが前記センサへの通光の遮断を開始する時間と略同じ時間に、前記写真照明装置のフラッシュプロファイルの終期臨界点が発生するように行われる、請求項１に記載の方法。
【請求項１１】
前記発光を開始することは、第２のシャッタブレードが前記センサへの通光の遮断を開始する前に、前記写真照明装置のフラッシュプロファイルの終期臨界点が発生するように行われる、請求項１に記載の方法。
【請求項１２】
前記カメラの前記第１のシャッタブレードが前記センサに通光させる点に移動する前に発生するカメラ予測事象および／またはカメラ予測信号を識別することであって、前記カメラ予測事象および／またはカメラ予測信号は、写真照明装置からの発光開始を命令する事象または信号ではなく、前記写真照明装置の発光を命令する意図のある通常のフラッシュ開始事象またはフラッシュ開始信号の前に発生する、識別すること、ならびに
前記予測事象および／または予測信号の発生に基づいて、前記写真照明装置に、前記写真照明装置の発光を開始する命令を通信すること
をさらに含む、請求項１に記載の方法。
【請求項１３】
前記識別することは、Ｘ同期フラッシュパルスの開始を命令するように意図された事象および信号でなく、Ｘ同期の時間前に発生するカメラ予測事象および／またはカメラ予測信号を識別することを含む、請求項１２に記載の方法。
【請求項１４】
前記カメラ予測事象および／またはカメラ予測信号は、前記カメラの直列データ通信である、請求項１２に記載の方法。
【請求項１５】
前記直列データ通信は、電力設定コマンドである、請求項１４に記載の方法。
【請求項１６】
前記カメラ予測事象および／またはカメラ予測信号は、前記カメラのクロック信号の電圧降下である、請求項１２に記載の方法。
【請求項１７】
前記カメラ予測事象および／またはカメラ予測信号は、シャッタ磁石解放信号の開始である、請求項１２に記載の方法。
【請求項１８】
前記カメラ予測事象および／またはカメラ予測信号は、ＦＰ同期信号の開始であり、前記発光を開始することは、ＦＰ型フラッシュ発光を含まない、請求項１２に記載の方法。
【請求項１９】
前記通信することは、前記命令を内部照明装置に前記カメラ内部で送出することを含む、請求項１２に記載の方法。
【請求項２０】
前記通信することは、前記カメラのホットシューコネクタを介して前記命令を前記写真照明装置に送出することを含み、前記写真照明装置は前記ホットシューコネクタ内に位置決めされる、請求項１２に記載の方法。
【請求項２１】
前記通信することは、前記命令を前記写真照明装置に無線で送信することを含む、請求項１２に記載の方法。
【請求項２２】
前記無線で通信することは、無線周波送信を含む、請求項２１に記載の方法。
【請求項２３】
前記命令は、前記第１のシャッタブレードが前記センサの前記撮像部分への通光をもはや妨げない位置に移動する前に、無線で送信される、請求項２１に記載の方法。
【請求項２４】
前記命令は、前記第１のシャッタブレードが前記センサの前記撮像部分への通光をもはや妨げない位置に移動する前に、前記写真照明装置に関連付けられた無線通信受信器により受信される、請求項２１に記載の方法。
【請求項２５】
前記命令は、前記通常のフラッシュ開始事象またはフラッシュ開始信号の発生前に無線で送信される、請求項２１に記載の方法。
【請求項２６】
前記命令は、前記通常のフラッシュ開始事象またはフラッシュ開始信号の発生前に、前記写真照明装置に関連付けられた無線通信受信器により受信される、請求項２１に記載の方法。
【請求項２７】
前記発光を開始することは、前記命令の通信の完了から遅延させた時間に行われる、請求項１２に記載の方法。
【請求項２８】
前記命令は遅延係数を含む、請求項２７に記載の方法。
【請求項２９】
前記命令は、前記発光の開始に関して事前に計算された時間を含む、請求項２７に記載の方法。
【請求項３０】
前記識別することは、前記カメラ外部の前記予測事象および／または予測信号を検出することを含む、請求項１２に記載の方法。
【請求項３１】
前記検出することは、前記カメラのホットシューコネクタを介して行われる、請求項３０に記載の方法。
【請求項３２】
予測信号および／または予測事象を検出すること、
前記予測信号および／または予測事象の発生から、前記写真照明装置の所望の発光開始までの時間量を特定すること、ならびに
前記写真照明装置に、前記所望の時間に前記写真照明装置の発光を開始する命令を送信すること
をさらに含む、請求項１に記載の方法。
【請求項３３】
前記予測信号および／または予測事象を検出することは、前記カメラのＦＰ同期信号の発生を識別することを含む、請求項３２に記載の方法。
【請求項３４】
前記予測信号および／または予測事象を検出することは、前記カメラの電力設定コマンドの発生を識別することを含む、請求項３２に記載の方法。
【請求項３５】
前記予測信号および／または予測事象を検出することは、前記カメラのクロック信号の電圧降下の発生を識別することを含み、前記電圧降下は、画像取得の始動後、かつ前記第１のシャッタブレードが移動を停止する前に発生する、請求項３２に記載の方法。
【請求項３６】
前記時間量を特定することは、
画像取得シーケンスを開始すること、
第２のシャッタブレードの移動開始を検出すること、ならびに
前記画像取得の前記シャッタ速度、前記カメラの前記シャッタブレード移動時間、前記予測信号および／または予測事象の発生から第２のシャッタブレードの移動開始までの時間を使用することであって、それにより、前記予測信号および／または予測事象から前記第１のシャッタブレードの移動停止までの時間を特定する、使用すること
を含む較正を使用して特定される時間値の利用を含む、請求項３２に記載の方法。
【請求項３７】
前記使用するステップは、
前記カメラの前記シャッタ速度および前記シャッタブレード移動時間を利用して、前記第１のシャッタブレードの移動停止から前記第２のシャッタブレードの移動開始までの時間を特定すること、ならびに
前記予測信号および／または予測事象の発生から前記第２のシャッタブレードの移動開始までの時間ならびに前記第１のシャッタブレードの移動停止から前記第２のシャッタブレードの移動開始までの時間を利用して、前記予測信号および／または予測事象から前記第１のシャッタブレードの移動停止までの時間を特定すること
を含む、請求項３６に記載の方法。
【請求項３８】
前記時間量を特定することは、
画像取得シーケンスを開始すること、
結果として生成される画像を解析すること、および
前記命令の遅延係数値に影響する調整係数を変更すること
を含む較正を使用して特定される時間値の利用を含む、請求項３２に記載の方法。
【請求項３９】
カメラにより画像を取得するために、写真照明装置を同期させる方法であって、
初期臨界点および終期臨界点を有する発光プロファイルを有する写真照明装置を前記カメラに関連付けること、ならびに
前記第１のシャッタブレードがセンサの撮像部分への光をもはや遮らない位置に移動する約１ミリ秒前以後の時点で、前記初期臨界点が発生するように、第１のシャッタブレードが移動を停止する前に、前記写真照明装置からの発光を開始すること
を含む、方法。
【請求項４０】
前記発光を開始することは、前記第１のシャッタブレードがセンサの撮像部分への光をもはや遮らない位置に移動する約５００マイクロ秒前以後の時点で、前記初期臨界点が発生するように行われる、請求項３９に記載の方法。
【請求項４１】
前記発光を開始することは、前記第１のシャッタブレードがセンサの撮像部分への光をもはや遮らない位置に移動する約２５０マイクロ秒前以後の時点で、前記初期臨界点が発生するように行われる、
請求項３９に記載の方法。
【請求項４２】
前記発光を開始することは、前記第１のシャッタブレードがセンサの撮像部分への光をもはや遮らない位置に移動した後の時点で、前記初期臨界点が発生するように行われる、請求項３９に記載の方法。
【請求項４３】
前記発光を開始することは、前記第１のシャッタブレードがセンサの撮像部分への光をもはや遮らない位置に移動する時間と略同じ時間に、前記初期臨界点が発生するように行われる、請求項３９に記載の方法。
【請求項４４】
前記発光を開始することは、前記第１のシャッタブレードが移動を停止する前に、前記初期臨界点が発生するように行われる、請求項３９に記載の方法。
【請求項４５】
前記発光を開始することは、前記カメラの第２のシャッタブレードが前記センサの前記撮像部分への通光の遮断を開始する点に移動する約５００マイクロ秒後以前の時点で、前記終期臨界点が発生するように行われる、請求項３９に記載の方法。
【請求項４６】
前記発光を開始することは、前記カメラの第２のシャッタブレードが前記センサの前記撮像部分への通光の遮断を開始する点に移動する約２５０マイクロ秒後以前の時点で、前記終期臨界点が発生するように行われる、請求項３９に記載の方法。
【請求項４７】
前記発光を開始することは、第２のシャッタブレードが前記センサの前記撮像部分への通光の遮断を開始する点に移動する時間と略同じ時間に、前記終期臨界点が発生するように行われる、請求項３９に記載の方法。
【請求項４８】
前記発光を開始することは、第２のシャッタブレードが前記センサの前記撮像部分への通光の遮断を開始する時間の前に、前記終期臨界点が発生するように行われる、請求項３９に記載の方法。
【請求項４９】
前記カメラの前記第１のシャッタブレードが前記センサの前記撮像部分に通光させる点に移動する前に発生するカメラ予測事象および／またはカメラ予測信号を識別することであって、前記カメラ予測事象および／またはカメラ予測信号は、写真照明装置からの発光開始を命令する事象または信号ではなく、前記写真照明装置の発光を命令する意図のある通常のフラッシュ開始事象またはフラッシュ開始信号の前に発生する、識別すること、ならびに
前記予測事象および／または予測信号の発生に基づいて、前記写真照明装置に、前記写真照明装置の発光を開始する命令を通信すること
をさらに含む、請求項３９に記載の方法。
【請求項５０】
前記カメラ予測事象および／またはカメラ予測信号は、前記カメラの直列データ通信である、請求項４９に記載の方法。
【請求項５１】
前記直列データ通信は電力設定コマンドである、請求項５０に記載の方法。
【請求項５２】
前記カメラ予測事象および／またはカメラ予測信号は、シャッタ磁石解放信号の開始である、請求項４９に記載の方法。
【請求項５３】
前記カメラ予測事象および／またはカメラ予測信号は、ＦＰ同期信号の開始であり、前記発光を開始することは、ＦＰ型フラッシュ発光を含まない、請求項４９に記載の方法。
【請求項５４】
前記通信することは、前記命令を内部照明装置に前記カメラ内部で送出することを含む、請求項４９に記載の方法。
【請求項５５】
前記通信することは、前記カメラのホットシューコネクタを介して前記命令を前記写真照明装置に送出することを含み、前記写真照明装置は前記ホットシューコネクタ内に位置決めされる、請求項４９に記載の方法。
【請求項５６】
前記通信することは、前記命令を前記写真照明装置に無線で送信することを含む、請求項４９に記載の方法。
【請求項５７】
前記無線で通信することは、無線周波送信を含む、請求項５６に記載の方法。
【請求項５８】
前記命令は、前記第１のシャッタブレードが前記センサの前記撮像部分への通光をもはや妨げない位置に移動する前に、無線で送信される、請求項５６に記載の方法。
【請求項５９】
前記命令は、前記第１のシャッタブレードが前記センサの前記撮像部分への通光をもはや妨げない位置に移動する前に、前記写真照明装置に関連付けられた無線通信受信器により受信される、請求項５６に記載の方法。
【請求項６０】
前記命令は、前記通常のフラッシュ開始事象またはフラッシュ開始信号の発生前に無線で送信される、請求項５６に記載の方法。
【請求項６１】
前記命令は、前記通常のフラッシュ開始事象またはフラッシュ開始信号の発生前に、前記写真照明装置に関連付けられた無線通信受信器により受信される、請求項５６に記載の方法。
【請求項６２】
前記発光を開始することは、前記命令の通信の完了から遅延させた時間に行われる、請求項４９に記載の方法。
【請求項６３】
前記命令は遅延係数を含む、請求項６２に記載の方法。
【請求項６４】
前記命令は、前記発光の開始に関して事前に計算された時間を含む、請求項６２に記載の方法。
【請求項６５】
前記識別することは、前記カメラ外部の前記予測事象および／または予測信号を検出することを含む、請求項４９に記載の方法。
【請求項６６】
前記検出することは、前記カメラのホットシューコネクタを介して行われる、請求項６５に記載の方法。
【請求項６７】
予測信号および／または予測事象を検出すること、
前記予測信号および／または予測事象の発生から、前記写真照明装置の所望の発光開始までの時間量を特定すること、ならびに
前記写真照明装置に、前記所望の時間に前記写真照明装置の発光を開始する命令を送信すること
をさらに含む、請求項３９に記載の方法。
【請求項６８】
前記予測信号および／または予測事象を検出することは、前記カメラのＦＰ同期信号の発生を識別することを含む、請求項６７に記載の方法。
【請求項６９】
前記予測信号および／または予測事象を検出することは、前記カメラの電力設定コマンドの発生を識別することを含む、請求項６７に記載の方法。
【請求項７０】
前記予測信号および／または予測事象を検出することは、前記カメラのクロック信号の電圧降下の発生を識別することを含み、前記電圧降下は、画像取得の始動後、かつ前記第１のシャッタブレードが移動を停止する前に発生する、請求項６７に記載の方法。
【請求項７１】
前記時間量を特定することは、
画像取得シーケンスを開始すること、
第２のシャッタブレードの移動開始を検出すること、ならびに
前記画像取得の前記シャッタ速度、前記カメラの前記シャッタブレード移動時間、前記予測信号および／または予測事象の発生から第２のシャッタブレードの移動開始までの時間を使用することであって、それにより、前記予測信号および／または予測事象から前記第１のシャッタブレードの移動停止までの時間を特定する、使用すること
を含む較正を使用して特定される時間値の利用を含む、請求項６７に記載の方法。
【請求項７２】
前記使用するステップは、
前記カメラの前記シャッタ速度および前記シャッタブレード移動時間を利用して、前記第１のシャッタブレードの移動停止から前記第２のシャッタブレードの移動開始までの時間を特定すること、ならびに
前記予測信号および／または予測事象の発生から前記第２のシャッタブレードの移動開始までの時間ならびに前記第１のシャッタブレードの移動停止から前記第２のシャッタブレードの移動開始までの時間を利用して、前記予測信号および／または予測事象から前記第１のシャッタブレードの移動停止までの時間を特定すること
を含む、請求項７１に記載の方法。
【請求項７３】
前記時間量を特定することは、
画像取得シーケンスを開始すること、
結果として生成される画像を解析すること、および
前記命令の遅延係数値に影響する調整係数を変更すること
を含む較正を使用して特定される時間値の利用を含む、請求項６７に記載の方法。
【請求項７４】
カメラによる画像取得のために、写真照明装置を同期させる方法であって、
予測信号および／または予測事象を検出すること、
前記予測信号および／または予測事象の発生から、前記写真照明装置の所望の発光開始時間までの時間量を特定すること、
前記写真照明装置に、前記所望の時間に前記写真照明装置の発光を開始する命令を送信すること、ならびに
前記カメラの第１のシャッタブレードが画像取得センサの露光を開始した後、かつ前記第１のシャッタブレードが移動を停止する前、前記写真照明装置の発光を開始すること
を含む、方法。
【請求項７５】
前記予測信号および／または予測事象を検出することは、前記カメラのＦＰ同期信号の発生を識別することを含む、請求項７４に記載の方法。
【請求項７６】
前記予測信号および／または予測事象を検出することは、前記カメラの電力設定コマンドの発生を識別することを含む、請求項７４に記載の方法。
【請求項７７】
前記予測信号および／または予測事象を検出することは、前記カメラのクロック信号の電圧降下の発生を識別することを含み、前記電圧降下は、画像取得の始動後、かつ前記第１のシャッタブレードが移動を停止する前に発生する、請求項７４に記載の方法。
【請求項７８】
前記時間量を特定することは、
画像取得シーケンスを開始すること、
第２のシャッタブレードの移動開始を検出すること、ならびに
前記画像取得の前記シャッタ速度、前記カメラの前記シャッタブレード移動時間、前記予測信号および／または予測事象の発生から第２のシャッタブレードの移動開始までの時間を使用することであって、それにより、前記予測信号および／または予測事象から前記第１のシャッタブレードの移動停止までの時間を特定する、使用すること
を含む較正を使用して特定される時間値の利用を含む、請求項７４に記載の方法。
【請求項７９】
前記使用するステップは、
前記カメラの前記シャッタ速度および前記シャッタブレード移動時間を利用して、前記第１のシャッタブレードの移動停止から前記第２のシャッタブレードの移動開始までの時間を特定すること、ならびに
前記予測信号および／または予測事象の発生から前記第２のシャッタブレードの移動開始までの時間ならびに前記第１のシャッタブレードの移動停止から前記第２のシャッタブレードの移動開始までの時間を利用して、前記予測信号および／または予測事象から前記第１のシャッタブレードの移動停止までの時間を特定すること
を含む、請求項７８に記載の方法。
【請求項８０】
前記時間量を特定することは、
画像取得シーケンスを開始すること、
結果として生成される画像を解析すること、および
前記命令の遅延係数値に影響する調整係数を変更すること
を含む較正を使用して特定される時間値の利用を含む、請求項７４に記載の方法。
【請求項８１】
カメラにより画像を取得するために、写真照明装置を同期させる方法であって、
前記カメラの第１のシャッタブレードがセンサの撮像部分に通光させる点に移動する前に発生するカメラ予測事象および／またはカメラ予測信号を識別することであって、前記予測事象および／または予測信号は、Ｘ同期の開始を命令するように意図された事象および信号でなく、Ｘ同期時間前に発生する、識別すること、ならびに
前記予測事象および／または予測信号の発生に基づいて、前記写真照明装置に、前記写真照明装置の発光を開始する命令を通信すること
を含む、方法。
【請求項８２】
カメラにより画像を取得するために、写真照明装置を同期させる方法であって、
光を前記カメラの画像取得センサに通すように、前記カメラの第１のシャッタブレードを移動させること、および
前記第１のシャッタブレードが前記画像取得センサの露光を開始した後、かつシャッタ移動完了スイッチが前記カメラにより検出される前、前記写真照明装置の発光を開始すること
を含む、方法。
【請求項８３】
カメラにより画像を取得するために、写真照明装置を同期させるシステムであって、
光が前記カメラの画像取得センサの撮像部分に通るように、前記カメラの第１のシャッタブレードを移動させる手段と、
前記第１のシャッタブレードが前記画像取得センサの露光を開始した後、かつ前記第１のシャッタブレードの移動停止に関連付けられたＸ同期前、前記写真照明装置の発光を開始する手段と
を備える、システム。
【請求項８４】
前記発光を開始する手段は、前記第１のシャッタブレードが前記センサの前記撮像部分への通光をもはや妨げない位置に移動する約１ミリ秒前以後の時点で、前記写真照明装置のフラッシュプロファイルの初期臨界点が発生するように発光を開始させるように構成される、請求項８３に記載のシステム。
【請求項８５】
前記発光を開始する手段は、前記第１のシャッタブレードが前記センサの前記撮像部分への通光をもはや妨げない位置に移動する約５００マイクロ秒前以後の時点で、前記写真照明装置のフラッシュプロファイルの初期臨界点が発生するように発光を開始させるように構成される、請求項８３に記載のシステム。
【請求項８６】
前記発光を開始する手段は、前記第１のシャッタブレードが前記センサの前記撮像部分への通光をもはや妨げない位置に移動する約２５０マイクロ秒前以後の時点で、前記写真照明装置のフラッシュプロファイルの初期臨界点が発生するように発光を開始させるように構成される、請求項８３に記載のシステム。
【請求項８７】
前記発光を開始する手段は、前記第１のシャッタブレードが前記センサの前記撮像部分への通光をもはや妨げない位置に移動した後の時点で、前記写真照明装置のフラッシュプロファイルの初期臨界点が発生するように発光を開始させるように構成される、請求項８３に記載のシステム。
【請求項８８】
前記発光を開始する手段は、前記第１のシャッタブレードが前記センサの前記撮像部分への通光をもはや妨げない位置に移動する時間と略同じ時間で、前記写真照明装置のフラッシュプロファイルの初期臨界点が発生するように発光を開始させるように構成される、請求項８３に記載のシステム。
【請求項８９】
前記発光を開始する手段は、前記第１のシャッタブレードが移動を停止する前に、前記写真照明装置のフラッシュプロファイルの初期臨界点が発生するように発光を開始させるように構成される、請求項８３に記載のシステム。
【請求項９０】
前記発光を開始する手段は、前記カメラの第２のシャッタブレードが前記センサの前記撮像部分への通光の遮断を開始する点に移動した後約５００マイクロ秒未満で、前記写真照明装置のフラッシュプロファイルの終期臨界点が発生するように発光を開始させるように構成される、請求項８３に記載のシステム。
【請求項９１】
前記発光を開始する手段は、前記カメラの第２のシャッタブレードが前記センサの前記撮像部分への通光の遮断を開始する点に移動した後約２５０マイクロ秒未満で、前記写真照明装置のフラッシュプロファイルの終期臨界点が発生するように発光を開始させるように構成される、請求項８３に記載のシステム。
【請求項９２】
前記発光を開始する手段は、第２のシャッタブレードが前記センサへの通光の遮断を開始する時間と略同じ時間に、前記写真照明装置のフラッシュプロファイルの終期臨界点が発生するように発光を開始させるように構成される、請求項８３に記載のシステム。
【請求項９３】
前記発光を開始する手段は、第２のシャッタブレードが前記センサへの通光の遮断を開始する前に、前記写真照明装置のフラッシュプロファイルの終期臨界点が発生するように発光を開始させるように構成される、請求項８３に記載のシステム。
【請求項９４】
前記カメラの前記第１のシャッタブレードが前記センサに通光させる点に移動する前に発生するカメラ予測事象および／またはカメラ予測信号を識別する手段であって、前記カメラ予測事象および／またはカメラ予測信号は、写真照明装置からの発光開始を命令する事象または信号ではなく、前記写真照明装置の発光を命令する意図のある通常のフラッシュ開始事象またはフラッシュ開始信号の前に発生する、識別する手段と、
前記予測事象および／または予測信号の発生に基づいて、前記写真照明装置に、前記写真照明装置の発光を開始する命令を通信する手段と
をさらに備える、請求項８３に記載のシステム。
【請求項９５】
前記識別する手段は、Ｘ同期フラッシュパルスの開始を命令するように意図された事象および信号でなく、Ｘ同期の時間前に発生するカメラ予測事象および／またはカメラ予測信号を識別する手段を含む、請求項９４に記載のシステム。
【請求項９６】
前記カメラ予測事象および／またはカメラ予測信号は、前記カメラの直列データ通信である、請求項９４に記載のシステム。
【請求項９７】
前記直列データ通信は、電力設定コマンドである、請求項９６に記載のシステム。
【請求項９８】
前記カメラ予測事象および／またはカメラ予測信号は、前記カメラのクロック信号の電圧降下である、請求項９４に記載のシステム。
【請求項９９】
前記カメラ予測事象および／またはカメラ予測信号は、シャッタ磁石解放信号の開始である、請求項９４に記載のシステム。
【請求項１００】
前記カメラ予測事象および／またはカメラ予測信号は、ＦＰ同期信号の開始であり、前記発光を開始することは、ＦＰ型フラッシュ発光を含まない、請求項９４に記載のシステム。
【請求項１０１】
前記通信する手段は、前記命令を内部照明装置に前記カメラ内部で送出する手段を含む、請求項９４に記載のシステム。
【請求項１０２】
前記通信する手段は、前記カメラのホットシューコネクタを介して前記命令を前記写真照明装置に送出する手段を含み、前記写真照明装置は前記ホットシューコネクタ内に位置決めされる、請求項９４に記載のシステム。
【請求項１０３】
前記通信する手段は、前記命令を前記写真照明装置に無線で送信する手段を含む、請求項９４に記載のシステム。
【請求項１０４】
前記無線で通信する手段は、無線周波送信器を含む、請求項１０３に記載のシステム。
【請求項１０５】
前記識別する手段は、前記カメラ外部の前記予測事象および／または予測信号を検出する手段を含む、請求項９４に記載のシステム。
【請求項１０６】
前記検出する手段は、前記カメラのホットシューコネクタを含む、請求項１０５に記載のシステム。
【請求項１０７】
予測信号および／または予測事象を検出する手段と、
前記予測信号および／または予測事象の発生から、前記写真照明装置の所望の発光開始時間までの時間量を特定する手段と、
前記写真照明装置に、前記所望の時間に前記写真照明装置の発光を開始する命令を送信する手段と
をさらに備える、請求項８３に記載のシステム。
【請求項１０８】
前記予測信号および／または予測事象を検出する手段は、前記カメラのＦＰ同期信号の発生を識別する手段を含む、請求項１０７に記載のシステム。
【請求項１０９】
前記予測信号および／または予測事象を検出する手段は、前記カメラの電力設定コマンドの発生を識別する手段を含む、請求項１０７に記載のシステム。
【請求項１１０】
前記予測信号および／または予測事象を検出する手段は、前記カメラのクロック信号の電圧降下の発生を識別する手段を含み、前記電圧降下は、画像取得の始動後、かつ前記第１のシャッタブレードが移動を停止する前に発生する、請求項１０７に記載のシステム。
【請求項１１１】
前記時間量を特定する手段は、
画像取得シーケンスを開始する手段と、
第２のシャッタブレードの移動開始を検出する手段と、
前記画像取得の前記シャッタ速度、前記カメラの前記シャッタブレード移動時間、前記予測信号および／または予測事象の発生から第２のシャッタブレードの移動開始までの時間を使用する手段であって、それにより、前記予測信号および／または予測事象から前記第１のシャッタブレードの移動停止までの時間を特定する、使用する手段と
を含む較正を使用して特定される時間値の利用を含む、請求項１０７に記載のシステム。
【請求項１１２】
前記使用する手段は、
前記カメラの前記シャッタ速度および前記シャッタブレード移動時間を利用して、前記第１のシャッタブレードの移動停止から前記第２のシャッタブレードの移動開始までの時間を特定する手段と、
前記予測信号および／または予測事象の発生から前記第２のシャッタブレードの移動開始までの時間ならびに前記第１のシャッタブレードの移動停止から前記第２のシャッタブレードの移動開始までの時間を利用して、前記予測信号および／または予測事象から前記第１のシャッタブレードの移動停止までの時間を特定する手段と
を含む、請求項１１１に記載のシステム。
【請求項１１３】
前記時間量を特定することは、
画像取得シーケンスを開始すること、
結果として生成される画像を解析すること、および
前記命令の遅延係数値に影響する調整係数を変更すること
を含む較正を使用して特定される時間値の利用を含む、請求項１０７に記載のシステム。
【請求項１１４】
画像取得センサと、第１のシャッタブレードを有するシャッタシステムとを有するカメラによる画像取得のために、写真照明装置を同期させるシステムであって、
カメラ予測信号へのアクセスを提供するカメラ回路への接続と、
前記第１のシャッタブレードが前記画像取得センサの露光を開始した後、かつ前記第１のシャッタブレードの移動停止に関連付けられたＸ同期前、発光を開始する命令に関する情報を含むメモリと、
前記情報および前記カメラ予測信号を使用して、発光開始信号を生成するように構成されたプロセッサ要素と、
前記処理要素と通信して、前記発光開始信号を前記写真照明装置に通信する、前記写真照明装置への接続と
を備える、システム。
【発明の詳細な説明】
【技術分野】
【０００１】
本願は、２００９年２月１２日に出願された「Ｅａｒｌｙ  Ｐｈｏｔｏｇｒａｐｈｉｃ  Ｓｙｎｃｈｒｏｎｉｚａｔｉｏｎ  Ｓｙｓｔｅｍ  ａｎｄ  Ｍｅｔｈｏｄ」という名称の米国仮特許出願第６１／１５２，０８９号明細書の優先権の恩益を主張するものであり、参照によりこの仮特許出願を本願に援用する。
【０００２】
本願は、一般的には画像を取得するための写真照明を同期させる分野に関する。特に、本発明は、早期写真同期システムおよび方法に関する。
【背景技術】
【０００３】
従来のカメラは、「Ｘ同期」信号として知られる同期信号を生成する。Ｘ同期信号は、カメラの第１のシャッタが、画像取得中に全開位置に移動したときに開始される。一例では、機械的なセンサが、シャッタブレードが移動を停止しようとすることを検出する。Ｘ同期信号を使用して、画像取得中、フラッシュ装置を発光させることができる。さらに後述するように、カメラは通常、Ｘ同期を使用した同期を、画像に「クリッピング」を生じさせずに行うことができる最高シャッタ速度（例えば、シャッタの開口が短いことに相関する「高速の」シャッタ速度）を有する。このシャッタ速度は、所与のカメラの最高Ｘ同期を定義する。クリッピングとは、フラッシュ照明が、シャッタブレードがセンサを横切って移動する間に発光することにより撮像センサ（またはフィルム）を不均等に照明する場合である。クリッピングは、画像の暗目の露出の帯（例えば、画像の上または下の）として見える。
【０００４】
図１および図２は、２ブレード焦点面シャッタシステムを有する例示的なカメラの従来の写真フラッシュ同期システムおよび方法の一例に関連するタイミングプロットを示す。図１のこの例では、シャッタ速度は、図２に関して後述する例よりも比較的遅いシャッタ速度設定に設定される（すなわち、シャッタの開口がより長い）。図１は、初期閉位置から開位置への（すなわち、カメラレンズからの光路をシャッタ機構から遮断する位置から、シャッタ機構に光を通す位置への）ミラー移動を示すタイミングプロット１０５を含む。図２は、初期閉位置から開位置へのミラー移動を示すタイミングプロット２０５を含む。図１のタイミングプロット１１０および図２のタイミングプロット２１０のそれぞれは、各例でのカメラの撮像センサを横切って、第１のシャッタブレードが光を撮像センサ全体に通す位置に移動する第１のシャッタブレードの縁部の移動を示す。図１のタイミングプロット１１５および図２のタイミングプロット２１５のそれぞれは、各例で撮像センサを横切って、すべての光を撮像センサに届かないように遮断する位置に移動する第２のシャッタブレードの縁部の移動を示す。プロット１０５、１１０、１１５、２０５、２１０、２１５のそれぞれにおいて、プロットの下部水平線が、移動前の固定位置を表し、プロットの上部水平線が移動後の固定位置を表し、下部水平線と上部水平線との間にある傾斜線は移動時間を表す。
【０００５】
図１の例では、垂直破線１２０と垂直破線１２５との間の時間１２７は、両シャッタブレードが、光をカメラレンズからカメラの撮像センサに通す固定開位置にある時間である。この例では、線１２０と１２５との間の時間中、第１および第２のシャッタブレードは、センサへの光を遮らない。いくつかの例では、カメラの第１のシャッタブレードは、撮像センサへの通光を開始する前の時間において（すなわち、第１のシャッタブレードの開始位置が、撮像センサの縁部から離れている）、移動を開始し、第１のシャッタブレードは、第１のシャッタブレードが移動を停止する前の時間（例えば、時間１２０）において、撮像センサへの通光遮断を完全に停止する。カメラは、撮像センサの縁部と、シャッタブレードが停止することになる場所との間にある距離を有する（例えば、瞬時の急激な停止により、シャッタブレードが破損しないように）。同様に、カメラの第２のシャッタブレードも、第２のシャッタブレードが移動を開始した後の時間（例えば、時間１２５）まで、撮像センサへの通光遮断を開始しないように、撮像センサの縁部からある距離のところにある位置において移動を開始し得、第２のシャッタブレードは、移動を停止する前の時間において、撮像センサからの光を完全に遮断する。破線１３０および２３０は、各例で第２のシャッタブレードのそれぞれが移動を停止する時間を記す。
【０００６】
図２の例では、垂直破線２２０と垂直破線２２５との間の時間２２７は、両シャッタブレードが、光をカメラレンズからカメラの撮像センサに通す固定開位置にある時間である。この例では、線２２０と２２５との間の時間中、第１および第２のシャッタブレードは、センサへの光を遮らない。
【発明の概要】
【発明が解決しようとする課題】
【０００７】
カメラの第１のシャッタブレードが移動停止してから、第２のシャッタブレードが移動停止するまでの時間（図１の例では、時間期間１３５として示され、図２の例では、時間期間２３５として示される）は、露光時間と呼ぶことができ、通常、カメラのシャッタ速度として測定される。プロット１４０および２４０は、図１および図２の各例の従来の同期信号（一般に「同期」信号またはＸ同期信号と呼ばれる）を示す。同期信号１４０および２４０は、時間１２０および２２０のそれぞれでの電圧変更ならびに時間１３０および２３０のそれぞれでの前の電圧への復帰により示される。従来の同期信号は、第１のシャッタブレードが移動を停止したときに開始する。一例では、カメラ内のセンサが、第１のシャッタブレードが停止することになることを検出し、Ｘ同期信号を開始する電気信号を生じさせる。そのような一例では、センサ起動後、第１のシャッタブレードのいくらかの追加の移動があり得る（例えば、センサの機械的要素の作動、ブレードがバシャッと開く際の力からブレードが跳ね返ることにより）。カメラのＸ同期信号をアクティブ化させる通常の時間的位置後のそのような移動は、第１のシャッタブレードの移動停止を決定する時間に含まれない。
【０００８】
プロット１４５は、図１の例のカメラに関連付けられた写真照明装置からの時間の経過に伴う発光のプロットを示す。水平破線１５０は、この破線を超えると、カメラの撮像センサが照明装置の発光を周囲光よりも強いものとして検出可能な限界レベルを記す。発光プロファイルの曲線下の斜線がかかった領域は、カメラセンサによる撮像に貢献する発光を表す。プロット２４５は、図２の例のカメラに関連付けられた写真照明装置からの時間の経過に伴う発光のプロットを示す。水平破線２５０は、この破線を超えると、カメラの撮像センサが照明装置の発光を周囲光よりも強いものとして検出可能な限界レベルを記す。発光プロファイルの曲線下の斜線がかかった領域は、カメラセンサによる撮像に貢献できる発光を表す。発光は、同期信号に応答して開始される。図１および図２の例では、同期信号と照明装置の発光開始との間にわずかな遅延が示される（例えば、おそらく、照明装置内の回路の遅延および／または発光開始信号を、カメラから離れた照明装置に無線送信するために必要な時間により）。
【０００９】
線１５０よりも上の領域全体は、第１および第２のシャッタブレードが移動中ではなく、センサが２枚のシャッタブレードにより完全には妨げられない時間期間１２７中、線１２０と線１２５との間に入る。したがって、比較的長いシャッタ速度を有する図１の例での写真照明装置からの発光は、シャッタブレードが撮像センサを横切って移動している時間中、撮像に寄与しない。これは、より高速のシャッタ速度を有する図２の例では当てはまらない。プロット２４５の照明装置の検出可能な発光の大部分は、第２のシャッタブレードが移動を開始し、撮像センサの遮断を開始した後に生じる。これは、撮像センサの様々な場所での照明を不均等にすると共に、結果として生成される画像に不均等な暗化領域（例えば、「クリッピング」と呼ばれる）を生じさせる恐れがある。従来の同期方法のこの制限により、フラッシュ照明を使用した写真は通常、特定のシャッタ速度よりも遅い（すなわち、長い）シャッタ速度に制限される。例えば、多くのカメラは、１／２００秒よりも早いシャッタ速度ではフラッシュ照明を適宜同期することができない。
【００１０】
シャッタ速度の高速化を可能にする一方法は、照明装置の高速にパルスする光バーストを利用して、初期シャッタブレードの移動前から最終的なシャッタブレードの移動後まで十分な持続時間を有する疑似連続光源を生成することを含む。そのようなシステムは、実際の画像取得時間期間の前後に大量の外部エネルギーを利用する。これにより、照明電源が過度に消耗することになり得る。この種の同期は、「ＦＰ同期」と呼ばれることが多い。Ｃａｎｏｎ製の特定のカメラでは、これはＨＳＳ、ＨＳ同期、および／または「高速」同期としても知られている。本明細書では、この種の同期を「ＦＰ同期」および／または「ＦＰ型同期」と呼ぶ。図３は、そのようなＦＰ型同期プロセスの一例に関連付けられたタイミングプロットを示す。プロット３１０は、上述したプロット１１０および２１０と同様のカメラの第１のシャッタブレードの移動を示す。プロット３１５は、上述したプロット１１５および２１５と同様のカメラの第２のシャッタブレードの移動を示す。破線３２０は、第１のシャッタブレードの移動停止時間を記す。破線３２５は、第２のシャッタブレードが移動を開始する時間を記す。線３２０と３２５との間の時間３２７は、第１および第２のシャッタブレードが移動中ではなく、カメラの撮像センサに通光させる全開位置にある時間期間を記す。破線３３０は、第２のシャッタブレードの縁部が撮像センサを横切って移動した後、第２のシャッタブレードが移動を停止する時間を記す。線３２０と３３０との間の時間３３５はシャッタ速度を表す。プロット３４０は、時間３２０に開始され、時間３３０まで続く電圧変更として従来の同期信号を示す。プロット３４５は、写真発光プロファイル強度曲線を示す。点線３５０は、第１のシャッタブレードの移動の開始を示す。発光は、第１のシャッタブレードが移動を開始する前の時間に開始される。発光はピークに達し、照明装置は、第１のシャッタブレードが移動を開始する前に疑似連続発光レベルが開始されるように、高速パルス生成する。この発光は、線３３０後（すなわち、第２のシャッタブレードが、撮像センサへの通光を完全に遮った後）の時間まで、このレベルに保たれる。これにより、撮像センサがシャッタブレードにより部分的または完全に遮られないすべての時間中に、周囲光よりも強い略連続した発光が保証される。しかし、プロット３４５は、長い時間期間にわたる大量の発光を示す。そのような発光は、大量のエネルギーを利用し、場合によっては、照明装置の電源を消耗する恐れがある。
【課題を解決するための手段】
【００１１】
一実施態様では、カメラによる画像取得のために写真照明装置を同期させる方法が提供される。この方法は、カメラの画像取得センサの撮像部分に光を通すように、カメラの第１のシャッタブレードを移動させること、および第１のシャッタブレードが、画像取得センサの露光を開始した後、かつ第１のシャッタブレードの移動停止に関連付けられたＸ同期の前に、写真照明装置の発光を開始することを含む。
【００１２】
別の実施態様では、カメラによる画像取得のために写真照明装置を同期させる方法が提供される。この方法は、初期臨界点および終期臨界点を有する発光プロファイルを有する写真照明装置をカメラに関連付けること、ならびに初期臨界点が、第１のシャッタブレードが、センサの撮像部分への光をもはや遮らない位置まで移動する約１ミリ秒前以後の時点で発生するように、第１のシャッタブレードが移動停止する前に、写真照明装置の発光を開始することを含む。
【００１３】
さらに別の実施態様では、カメラによる画像取得のために写真照明装置を同期させる方法が提供される。この方法は、予測信号および／または予測事象を検出すること、予測信号および／または予測事象が発生してから、写真照明装置の発光の所望の開始までの時間量を特定すること、写真照明装置に、所望の時間に写真照明装置の発光を開始する命令を送信すること、ならびにカメラの第１のシャッタブレードが画像取得センサの露光を開始した後、かつ第１のシャッタブレードが移動を停止する前に、写真照明装置の発光を開始することを含む。
【００１４】
さらに別の実施態様では、カメラによる画像取得のために写真照明装置を同期させる方法が提供される。この方法は、カメラの第１のシャッタブレードが、センサの撮像部分に通光させる点まで移動する前に発生するカメラ予測事象および／または信号を識別することであって、予測事象および／または予測信号は、Ｘ同期の開始を命令することを意図された事象および信号でなく、予測事象および／または予測信号は、Ｘ同期の前に発生する、識別すること、ならびに予測事象および／または予測信号の発生に基づいて、写真照明装置に、写真照明装置の発光を開始する命令を通信することを含む。
【００１５】
さらに別の実施態様では、カメラによる画像取得のために写真照明装置を同期させる方法が提供される。この方法は、カメラの画像取得センサに光を通すように、カメラの第１のシャッタブレードを移動させること、および第１のシャッタブレードが画像取得センサの露光を開始した後、かつシャッタ移動完了スイッチがカメラにより検出される前、写真照明装置の発光を開始することを含む。
【００１６】
さらなる実施態様では、カメラによる画像取得のために写真照明装置を同期させるシステムが提供される。このシステムは、カメラの画像取得センサの撮像部分に光を通すように、カメラの第１のシャッタブレードを移動させる手段と、第１のシャッタブレードが、画像取得センサの露光を開始した後、かつ第１のシャッタブレードの移動停止に関連付けられたＸ同期の前に、写真照明装置の発光を開始する手段とを含む。
【００１７】
さらなる実施態様では、画像取得センサと、第１のシャッタブレードを有するシャッタシステムとを有するカメラによる画像取得のために、写真照明装置を同期させるシステムが提供される。このシステムは、カメラ予測信号へのアクセスを提供する、カメラ回路への接続と、第１のシャッタブレードが画像取得センサの露光を開始した後、かつ第１のシャッタブレードの移動停止に関連付けられたＸ同期の前、発光を開始する命令に関連する情報を含むメモリと、情報およびカメラ予測信号を使用して、発光開始信号を生成するように構成されたプロセッサ要素と、発光開始信号を写真照明装置に通信するために、処理要素と通信する写真照明装置への接続とを含む。
【図面の簡単な説明】
【００１８】
【図１】２ブレード焦点面シャッタシステムを有する例示的なカメラの従来の写真フラッシュ同期システムおよび方法の一例に関連するタイミングプロットを示す。
【図２】２ブレード焦点面シャッタシステムを有する例示的なカメラの従来の写真フラッシュ同期システムおよび方法の一例に関連するタイミングプロットを示す。
【図３】ＦＰ型同期プロセスの一例に関連付けられたタイミングプロットを示す。
【図４】写真照明装置を同期させる方法の一実施態様を示す。
【図５】第１のシャッタブレードが撮像センサへの通光を開始した後、かつ第１のシャッタブレードが移動を停止する前、発光が開始される、例示的な同期に関連付けられたタイミングプロットの一例を示す。
【図６】カメラの第１のシャッタブレードが、撮像センサへの通光を開始した後、かつ第１のシャッタブレードが移動を停止する時間前の時間６０５中のフラッシュ発光の開始を示す時間線の一例を示す。
【図７】カメラの第１のシャッタブレードが撮像センサへの通光を開始した後、かつ第１のシャッタブレードが移動を停止する時間前にフラッシュ発光を開始するための、予測信号および／または予測事象の検出を示す時間線の一例を示す。
【図８】１／２００秒、１／２５０秒、１／３２０秒、および１／４００秒の第２のシャッタ速度で動作するカメラとフラッシュとの組み合わせのタイミングデータを示す。
【図９】早期同期方法の別の実施形態を示す。
【図１０】フラッシュ開始から初期臨界点までの時間１００５を示すタイミングプロットを示す。
【図１１】所望のフラッシュ開始から初期臨界点までの時間１１０５を示すタイミングプロットを示す。
【図１２】所望のフラッシュ開始から初期臨界点までの時間１２０５を示すタイミングプロットを示す。
【図１３】所望のフラッシュ開始から初期臨界点までの時間１３０５を示すタイミングプロットを示す。
【図１４】画像を取得するために、予測信号および／または予測事象を使用して、１つまたは複数の照明装置を同期させる方法の別の実施態様を示す。
【図１５】画像を取得するために、１つまたは複数の照明装置による画像露光用の所与の種類の発光を同期させる方法のさらに別の実施態様を示す。
【図１６】カメラの画像を取得するために、１つまたは複数の照明装置を同期させる方法の例示的な実施態様を示す。
【図１７】カメラの画像を取得するために、１つまたは複数の照明装置を同期させる方法の例示的な実施態様を示す。
【図１８】カメラの画像を取得するために、１つまたは複数の照明装置を同期させる方法の例示的な実施態様を示す。
【図１９】発光開始のタイミングを特定する際に使用する時間較正値を特定するための較正手順の例示的なさらなる実施態様を示す。
【図２０】較正手順の例示的な別の実施態様を示す。
【図２１】シャッタ速度に基づいて実施する同期の種類を決定する手順の例示的な一実施形態を示す。
【図２２】カメラおよび画像を取得するために同期された１つまたは複数の照明装置を利用する画像取得の例示的なタイミングプロットを示す。
【図２３】早期同期を使用する例示的な画像取得の別のタイミングプロットセットを示す。
【図２４】さらに別の例示的な画像取得の別のタイミングプロットセットを示す。
【図２５】さらに別の例示的な画像取得の別のタイミングプロットセットを示す。
【図２６】さらに別の例示的な画像取得の別のタイミングプロットセットを示す。
【図２７】さらに別の例示的な画像取得の別のタイミングプロットセットを示す。
【図２８Ａ】無線周波数無線システムを使用して、Ｘ同期信号を使用するフラッシュ装置を同期させて、１／２００秒のシャッタ速度を有するフラッシュ写真撮影を使用して取得した写真２８０５を示す。
【図２８Ｂ】撮像センサへの通光を開始する位置に第１のシャッタブレードが移動した後、かつ第１のシャッタブレードが移動を停止する前に発光を開始するように構成された無線周波数無線システムを使用し、１／２００秒のシャッタ速度を有するフラッシュ写真撮影を使用して取得された写真２８１０を示す。
【図２９Ａ】無線周波数無線システムを使用して、Ｘ同期信号を使用するフラッシュ装置を同期させて、１／２５０秒のシャッタ速度を有するフラッシュ写真撮影を使用して取得された写真２９０５を示す。
【図２９Ｂ】撮像センサへの通光を開始する位置に第１のシャッタブレードが移動した後、かつ第１のシャッタブレードが移動を停止する前に発光を開始するように構成された無線周波数無線システムを使用し、１／２５０秒のシャッタ速度を有するフラッシュ写真撮影を使用して取得した写真２９１０を示す。
【図３０Ａ】無線周波数無線システムを使用して、Ｘ同期信号を使用するフラッシュ装置を同期させて、１／３２０秒のシャッタ速度を有するフラッシュ写真撮影を使用して取得された写真３００５を示す。
【図３０Ｂ】撮像センサへの通光を開始する位置に第１のシャッタブレードが移動した後、かつ第１のシャッタブレードが移動を停止する前に発光を開始するように構成された無線周波数無線システムを使用し、１／３２０秒のシャッタ速度を有するフラッシュ写真撮影を使用して取得した写真３０１０を示す。
【図３１Ａ】無線周波数無線システムを使用して、Ｘ同期信号を使用するフラッシュ装置を同期させて、１／４００秒のシャッタ速度を有するフラッシュ写真撮影を使用して取得した写真３１０５を示す。
【図３１Ｂ】撮像センサへの通光を開始する位置に第１のシャッタブレードが移動した後、かつ第１のシャッタブレードが移動を停止する前に発光を開始するように構成された無線周波数無線システムを使用し、１／４００秒のシャッタ速度を有するフラッシュ写真撮影を使用して取得した写真３１１０を示す。
【図３２Ａ】無線周波数無線システムを使用して、Ｘ同期信号を使用するフラッシュ装置を同期させて、１／５００秒のシャッタ速度を有するフラッシュ写真撮影を使用して取得した写真３２０５を示す。
【図３２Ｂ】撮像センサへの通光を開始する位置に第１のシャッタブレードが移動した後、かつ第１のシャッタブレードが移動を停止する前に発光を開始するように構成された無線周波数無線システムを使用し、１／５００秒のシャッタ速度を有するフラッシュ写真撮影を使用して取得した写真３２１０を示す。
【図３３】内蔵フラッシュ装置３３０を有するカメラ３３０５の一例を示す。
【図３４】内蔵無線周波数無線送受信器（図示せず）を有するカメラ３４０５の一例を示す。
【図３５】カメラ３５０５のホットシューコネクタを介して接続された外付け無線装置３５１０を有するカメラ３５０５の一例を示す。
【図３６】ホットシューコネクタを介して接続された外付け無線装置３６１０を有するカメラ３６０５の一例を示す。
【図３７】例示的な早期同期システム３７００を示す。
【図３８】写真無線通信装置３８０５の複数の図を示す。
【発明を実施するための形態】
【００１９】
カメラによる画像取得のために写真照明装置を同期させるシステムおよび方法が提供される。一実施形態では、１つまたは複数の照明装置による発光は、カメラの第１のシャッタブレードの移動が開始されて、光をカメラのレンズからカメラの撮像センサに通した後、かつ第１のシャッタブレード移動の完了に関連付けられたＸ同期の前に開始される。
【００２０】
上述したように、Ｘ同期を開始する通常の時間的位置の後に、第１のシャッタブレードのいくらかの追加の移動があり得る。本開示の実施形態において、写真発光のタイミングに対する第１のシャッタブレード移動の完了を考察する場合、言及される移動の停止は、カメラのＸ同期の通常の開始の時点である。シャッタブレードの続く移動がある場合、これは、第１のシャッタブレードの移動完了前に、写真発光を開始するための時間を決定するために、第１のシャッタブレードが移動を停止する時間を決定するに当たり、考慮されない。
【００２１】
図４は、写真照明装置を同期させる方法の一実施態様を示す。ステップ４０５において、１つまたは複数の写真照明装置が、カメラに関連付けて提供される。任意の１つまたは複数の写真照明装置を利用し得る。写真照明装置の例としては、カメラ本体内部のフラッシュ装置（例えば、デジタルＳＬＲカメラのポップアップフラッシュ）、ストロボ、スタジオフラッシュパック、スピードライト（例えば、ホットシューにマウント可能なフラッシュライト）、およびこれらの任意の組み合わせが挙げられるが、これらに限定されない。一例では、カメラに関連付けられる１つまたは複数の照明装置は、１つまたは複数の内部フラッシュ装置を含む。別の例では、カメラに関連付けられる１つまたは複数の照明装置は、１つまたは複数のスタジオ型フラッシュパック（例えば、ワイヤを介してカメラに接続され、かつ／またはカメラに無線接続される）を含む。さらに別の例では、カメラに関連付けられる１つまたは複数の照明装置は、１つまたは複数のホットシューマウント可能フラッシュ装置（例えば、カメラのホットシューに直接および／または間接的に接続され、かつ／あるいはカメラに無線接続される）を含む。
【００２２】
ステップ４１０において、カメラの第１のシャッタブレードは、カメラの撮像センサへの通光を開始する。撮像センサは、カメラのシャッタが完全に開いた場合、露光する撮像部分を有する。センサ自体は、カメラのシャッタが完全に開いた場合、画像取得のために露光されない追加の表面積、部分、および／または構成要素を有し得る。用語「センサ」が本明細書において、シャッタを通して光をセンサ装置に通すことに関して利用される場合、その用語は、センサの撮像部分を指す。
【００２３】
ステップ４１５において、第１のシャッタブレードの移動により、撮像センサへの通光が開始された後、かつ第１のシャッタブレードの移動が停止する前、１つまたは複数の照明装置のうちの少なくとも１つの発光が、開始される。
【００２４】
一例では、第１のシャッタブレードの移動は、協働して移動して、光を撮像センサに通す２枚のシャッタブレードを有する焦点面シャッタの第１のシャッタブレードの移動である。そのような一例では、第１のシャッタブレードが移動して、光を通し初め（例えば、画像取得の開始時に）、第２のシャッタブレードが移動して、センサへの通光を妨げ始める（例えば、画像取得を終了させるために）。別の例では、第１のシャッタブレードの移動は、撮像センサへの通光を妨げる位置から、光を通す位置に一緒に移動する２枚以上のシャッタブレードを有するリーフシャッタ機構の第１の移動である。１枚または複数枚のシャッタブレードが、第１の移動を開始する際、開口が、シャッタ機構の中心領域に作られ、１枚または複数枚のシャッタブレードが全開位置まで外側に移動する。本明細書でのシャッタブレードの考察のために、本明細書では、この第１の移動で一緒に移動するそのようなシャッタ機構の１枚または複数枚のシャッタブレードは、第１のシャッタブレードと呼ばれる。次に、２枚以上のシャッタブレードは、第２の移動を一緒に開始して、光が撮像センサに届かないように、閉じる。本明細書でのシャッタブレードの考察のために、本明細書では、この第２の移動で一緒に移動するそのようなシャッタ機構の１枚または複数枚のシャッタブレードは、第２のシャッタブレードと呼ばれる。
【００２５】
本明細書において使用される発光の開始は、画像取得を露出するための発光の開始を指す。そのような発光は、フォーカスを支援するために特定の写真機器により利用される光、光学無線通信、および光の他の非露光使用等の偶発的な発光を含まない。発光の開始は、様々な方法で行い得る。発光を開始する方法としては、発光開始信号の生成、カメラに直接接続されるか、または有線電気接続を介してカメラに間接的に接続された（例えば、カメラホットシューに直接接続され、ワイヤを介してカメラホットシューに接続され、ワイヤを介してカメラの同期コネクタに接続された）照明装置の発光開始、カメラに内蔵された照明装置の発光開始、離れた照明装置の無線での発光開始、およびこれらの任意の組み合わせが挙げられるが、これらに限定されない。一例では、照明装置からの発光を開始するプロセスは、本明細書の様々な実施形態および実施態様において記載されるように、発光を所与の時点で開始すべきであることの決定、発光開始信号の生成、照明装置への開始信号の通信、および照明装置による実際の発光の開始を含む。
【００２６】
遅延が、発光開始信号の生成と、照明装置の発光の開始との間に存在し得る。そのような遅延の例としては、発光開始信号の生成器と照明装置の発光要素との間の電子回路による遅延、発光開始信号の無線送信による遅延、およびこれらの任意の組み合わせが挙げられるが、これらに限定されない。さらに、発光開始時に、光が装置から発せられる前に、さらなる遅延があり得る。そのような遅延は、照明装置の光生成要素の充電時間に起因し得る。
【００２７】
図５は、第１のシャッタブレードが撮像センサへの通光を開始した後、かつ第１のシャッタブレードが移動を停止する前、発光が開始される、例示的な同期に関連付けられたタイミングプロットの一例を示す。プロット５０５は、初期閉位置（最初の水平線で表される）から、カメラのシャッタ機構に光を通す位置（プロットの２番目の水平部分で表される）へのカメラのミラーの移動を示す。プロット５１０は、カメラの撮像センサへの光を遮る初期位置（プロットの最初の水平部分で表される）から、第１のシャッタブレードを通して光を撮像センサに通す第２の停止位置（プロットの２番目の水平部分で表される）への第１のシャッタブレードの縁部の移動を示す。２つの水平部分を繋ぐ斜めの部分は、光を完全に遮る位置から、撮像センサが第１のシャッタブレードにより部分的に遮られる時間を通して、第１のシャッタブレードが撮像センサへの光をもはや遮らない時間への第１のシャッタブレードの移動を表す。第１のシャッタブレードの移動の開始は、様々な方法で行われ得る。一例では、第１のシャッタブレードの移動の開始は、シャッタブレードを定位置に保持する磁石が解放された結果、行われる。そのような例では、磁石は、磁石解放信号により解放し得る。プロット５１５は、初期位置（プロットの最初の水平部分で表される）から、第２のシャッタブレードがレンズから撮像センサへの光を完全に遮る第２の停止位置（プロットの２番目の水平部分で表される）への第２のシャッタブレードの縁部の移動を示す。２つの水平部分を繋ぐプロットの斜めの部分は、センサへの光を遮らない位置から、第２のシャッタブレードがセンサへの光を部分的に遮る時間を通して、センサへの光を完全に遮る時間への第２のシャッタブレードの移動を表す。破線５２０は、第１のシャッタブレードの縁部が撮像センサへの光をもはや遮らないように、撮像センサの視野内にない時間を記す。この時間は、第１のシャッタブレードが移動を停止する前に発生する。破線５２５は、第２のシャッタブレードの前縁部が、撮像センサへの通光を遮り始める時間を記す。この時間は、第２のシャッタブレードが移動を開始した後の時点で発生する。時間５２０と５２５との間の時間５３０は、撮像センサが両シャッタブレードにより完全に遮られていない状態にある時間である。プロット５３５は、時間期間５３０に関連付けられたオプションの電圧変更プロットを示す。プロット５４０は、第１のシャッタブレードが移動を停止する時間での電圧変更で開始され、第２のシャッタブレードが移動を停止する時間での電圧変更で終了する、カメラの従来のＸ同期信号の電圧変更プロットを示す。
【００２８】
プロット５４５は、照明装置の発光強度プロファイルを示す。破線５５０は、これを超えると撮像センサが照明装置の発光を周囲光よりも強いものとして検出可能な強度レベルを記す。初期臨界点５５５は、撮像センサが、発光を周囲光よりも強いものとして初めて検出可能な発光プロファイル上の点である。終期臨界点５６０は、撮像センサが発光を周囲光よりも強いものとして最後に検出可能な発光プロファイル上の点である。発光曲線下の斜線がかかった領域は、撮像センサにより検出可能な発光を表す。発光は、第１のシャッタブレードが、撮像センサへの通光を開始した後、かつ第１のシャッタブレードが移動を停止する前に開始される。
【００２９】
いくつか起こり得る恩恵が、第１のシャッタブレードがセンサへの通光を開始した後であるが、第１のシャッタブレードが移動を停止する前に発光を開始することから生じ得る。例示的な一態様では、発光開始時間の選択により、第１のシャッタブレードが撮像センサへの露光を開始してから、第２のシャッタブレードが撮像センサを完全に遮るまで、撮像センサがカメラレンズからの光に曝される時間中、発光強度をバランスさせることが可能であり得る。別の例示的な態様では、発光は、結果として生成される画像の暗化部分が最小化するように、開始し得る。別の例示的な態様では、シャッタブレードが撮像センサを横切って移動する間の発光を最小化し（例えば、なくし）得る。さらに別の例示的な態様では、撮像センサの露光前に、発光エネルギーを無駄にしなくてよい。
【００３０】
図５の例では、発光の早期開始は、時間５２０後、終期臨界点５６０が時間５２５前に発生するように十分早く、初期臨界点５５５が発生するようなものである。周囲光よりも強いものとして検出可能な発光の全体部分は、時間期間５３０中に発生する。周囲光よりも強いものとして検出不可能な状態は、第１のシャッタブレードまたは第２のシャッタブレードのいずれかが、撮像センサへの光を部分的に遮っている間に生じる。
【００３１】
第１のシャッタブレードが撮像センサへの通光を開始した後、かつ第１のシャッタブレードが移動を停止する前、発光が開始されるような、画像を取得するための同期された発光の開始は、任意の様々な画像取得環境において有用であり得る。そのような環境の例としては、内蔵フラッシュを有するカメラ、１つまたは複数の遠隔照明装置を有する内蔵無線機能を有するカメラ、１つまたは複数の遠隔照明装置を有する外部無線機能を有するカメラ、およびこれらの任意の組み合わせが挙げられるが、これらに限定されない。有線電気接続を介してカメラと照明装置とを接続する多くの直接配線実施態様および間接的な配線実施態様が知られている。カメラを遠隔照明装置に無線で接続する無線機能の例としては、光学無線機能（例えば、赤外線）、電波無線機能、およびこれらの任意の組み合わせが挙げられるが、これらに限定されない。
【００３２】
発光の開始を同期させる様々な無線実施態様について以下に説明する。例示的な一態様では、遠隔照明装置とカメラとの無線同期は、カメラ側に関連付けられた送信器（および場合によっては受信器）を有する無線通信装置と、照明装置側に関連付けられた受信器（および場合によっては送信器）を有する無線通信装置との使用を含む。無線通信装置の繋がりの例としては、少なくとも部分的にカメラ内部の無線通信機能、カメラの内部回路に外部接続された（例えば、ホットシューコネクタを介して）無線通信機能、少なくとも部分的に照明装置内部の無線通信機能、照明装置の内部回路に外部接続された（例えば、ホットシューコネクタを介して）無線通信機能、およびこれらの任意の組み合わせが挙げられるが、これらに限定されない。そのような繋がりの例について、以下に詳述する（例えば、図３３〜図３６に関して）。無線通信機能は、図３７の早期同期システム３７００等の早期同期システムの、本明細書での実施形態および実施態様の任意の態様により説明されるように、画像取得に対してある時点で写真照明装置により発光を開始する回路実行可能命令および／または機械実行可能命令を含み得る。
【００３３】
発光開始信号は、送信信号としてカメラ側送信器から照明装置受信器に無線送信し得る。無線送信信号の例示的な実施態様について、以下に説明する（例えば、図１６〜図１８に関して）。発光開始信号は、本明細書に説明するように、所望の時間に発光を開始する命令を含み得る。開始のタイミングの較正は、命令内の情報に影響し得る。タイミング遅延係数を命令内で利用して、発光開始時間を設定することができる。タイミング遅延係数は、予測事象および／または予測信号と、所望の発光開始時間との間の時間に基づき得る。タイミング遅延係数に影響し得る関係の例としては、第１のシャッタブレードがセンサへの光をもはや遮らないように、第１のシャッタブレードが撮像センサの視野から出る時間に対する関係、第１のシャッタブレードが移動を停止する時間に対する関係、照明装置のフラッシュプロファイルの初期臨界点の時間に対する関係、照明装置のフラッシュプロファイルの終期臨界点の時間に対する関係、予測事象および／または予測信号の時間、第２のシャッタブレードの移動の開始時間、ならびにこれらの任意の組み合わせが挙げられるが、これらに限定されない。これらの任意の時間の値は、１つまたは複数のカメラの早期同期システムのメモリに記憶し得、撮像条件（例えば、シャッタ速度）が、タイミング遅延係数の生成に使用される。一例では、遅延係数は絶対時間値（例えば、予測事象および／または予測信号等の先に発生する事象および／または信号に関連して）である。そのような例では、カメラ側または照明装置側の早期同期システムは、カメラからの情報に基づいて発光を開始する絶対時間値を生成し、発光開始信号を照明装置に通信し得る。別の例では、遅延係数は、１つまたは複数の他の事象（例えば、発光開始信号送信の受信）からのオフセット値である。そのような一例では、照明装置側の早期同期システムは、オフセット値を有する遅延係数を含む。送信信号を受信した場合、早期同期システムは、オフセット値を使用して、受信時間から、発光を開始する時間を計算する。別のそのような例では、送信信号は、オフセット値と共に遅延係数を有する情報を含む。送信信号を受信した場合、早期同期システムは、オフセット値を使用して、受信時間から、発光を開始する時間を計算する。
【００３４】
一実施態様では、タイミング遅延係数は、調整遅延を適用することにより変更し得る。調整遅延により、ユーザは発光を開始するタイミングを変更することができ得る。早期同期システムは、１つまたは複数の照明装置を同期させる際に利用される１つまたは複数のタイミング遅延係数に適用できる調整値を入力するインタフェースを含み得る。インタフェースおよび入力装置の例について、図３３〜図３８の例示的なシステムに関して以下に説明する。
【００３５】
複数の発光開始信号送信を同時に送信し得る。一例では、遠隔照明装置を（例えば、異なる設定、異なる所望の発光開始時間、および／または異なる遅延処理性能を有する）２つ以上のゾーンにグループ化し得る。そのような一例では、１つまたは複数の照明装置を、タイミング遅延係数を実施不可能である（例えば、照明装置および／または繋がった無線通信装置に、本明細書に記載の早期同期装置が関連付けられていない）ため、一緒にグループ化し得る。別のグループは遅延可能であり得る。早期同期機能が関連付けられているカメラ側無線通信装置は、一方はタイミング遅延係数を有し、Ｘ同期前に第１の周波数で送信され、他方は遅延係数なしで発光手順の直接開始を提供するように構成され、所望の発光開始時間に受信されるように、第２の周波数で送信される、２つの送信信号を生成し得る。
【００３６】
図６は、カメラの第１のシャッタブレードが、撮像センサへの通光を開始した後、かつ第１のシャッタブレードが移動を停止する時間前の時間６０５中のフラッシュ発光の開始を示す時間線の一例を示す。図６は、特定の持続時間の関係を伝える意図を有さない。上述したように、発光開始信号は、時間６０５中にフラッシュ発光を開始させるように生成される。発光開始信号の生成と発光開始との間の時間は、任意の様々な係数により影響を及ぼし得る。そのような係数の例としては、電気配線および回路を介して照明装置の発光要素に発光開始信号を送信するために必要な時間、遠隔照明装置に関連付けられた無線装置に発光開始信号を無線で送信するために必要な時間、照明装置の発光要素の充電時間、およびこれらの任意の組み合わせが挙げられるが、これらに限定されない。１つまたは複数のそのような係数を、発光開始信号を生成するタイミングおよび／またはそのような信号を無線通信するタイミングを決定する際に考慮し得る。一例では、発光開始信号は、所望の発光開始時間に先立って無線で送信し得る。そのような一例では、無線送信される開始信号は、受信側の遠隔装置（例えば、受信側の無線装置）が、所望の発光開始時間を特定するために解釈し得る時間符号（例えば、時間遅延を含むデータ）を含み得る。
【００３７】
一実施形態では、カメラの信号および／または事象を利用して、発光開始時間を予測し得る。そのような一例では、早期同期するように構成されていないカメラを、画像取得と、カメラの第１のシャッタブレードがカメラの撮像センサへの通光を開始した後、かつ第１のシャッタブレードが移動を停止する前の発光開始とを同期させるように変更し得る（例えば、内部変更および／または外付け無線装置等の構成要素の外付けを介して）。図７は、カメラの第１のシャッタブレードが撮像センサへの通光を開始した後、かつ第１のシャッタブレードが移動を停止する時間前にフラッシュ発光を開始するための、予測信号および／または予測事象の検出を示す時間線の一例を示す。図７は、カメラの予測信号および／または予測事象の検出時間を示す。検出が、予測信号および／または予測事象の受信の包含を意図することに留意されたい。フラッシュの開始は、第１のシャッタブレードがセンサへの通光を開始した後、かつ第１のシャッタブレードが移動を停止する前に行われる。一例では、予測信号および／または予測事象と第１のシャッタブレードの移動停止との間の時間７０５は、おおよそ一定の時間であり得、その時間から、所望の画質を最大にするように、フラッシュ開始時間を決定することができる。時間７０５の一定性は、様々な要因のうちの任意の１つまたは複数に依存し得る。そのような要因としては、カメラの型式、検出される信号および／または事象の性質、カメラの設定、ならびにこれらの任意の組み合わせが挙げられるが、これらに限定されない。
【００３８】
発光開始のタイミングの予測に利用し得る信号および事象の例としては、フラッシュ電力レベル設定コマンド、フラッシュモード設定コマンド、カメラのクロック信号の電圧変更、第１のシャッタブレードの移動開始に関連付けられた磁石解放、第１のシャッタブレードの移動開始に関連付けられた磁石解放信号、カメラにより生成される１つまたは複数のデータ信号、カメラのＦＰ同期信号、およびこれらの任意の組み合わせが挙げられるが、これらに限定されない。一例では、磁石解放信号が予測信号として利用される。磁石解放信号は、ミラーを開位置に移動したとき、またはそれと略同じときに、カメラの１つまたは複数の回路要素を介して発生し得る。磁石解放信号（および／または実際の磁石解放）と、第１のシャッタブレードが移動を開始するときとの間に、時間期間が生じ得る。カメラのＦＰ同期モードは、第１のシャッタブレードがセンサへの通光を開始する前から第２のシャッタブレードがセンサを完全に遮った後まで疑似連続発光が行われるように、第１のシャッタブレードが移動を開始する前に、発光が開始される、図３に関して上述した方法と同様にして、フラッシュ発光を生成するモードである。ＦＰ同期モード可能なカメラは、ＦＰ同期信号を生成して、第１のシャッタブレードの移動前に発光を開始する。一例では、ＦＰ同期信号と第１のシャッタブレードの移動停止との間の時間が特定され、第１のシャッタブレードがセンサへの通光を開始した後の所望の発光時間を確実に決定するために使用される。さらに別の例では、Ｘ同期前に発生するクロック信号の電圧変更が、予測信号として利用される。そのような一例では、クロック信号の電圧降下の開始から所望の発光開始までの時間を、確実に発光の同期に利用することができる。さらに別の例では、カメラのデータ信号が予測信号として利用される。そのような一例では、データ信号は、所望の時間に確実にフラッシュ発光を開始するために、Ｘ同期前に発生するカメラのデータ線上の電力設定コマンドである。
【００３９】
発光開始時間の較正を行い得る。一例では、発光開始タイミングの較正は、画像取得セッション前に行い得る（例えば、カメラに早期同期機能を追加するために利用される同期装置の製造中に特定されるデータを介して、カメラの製造中に特定されるデータを介して）。別の例では、発光開始タイミングの較正は、画像取得セッション時またはそれと略同じときに行い得る。
【００４０】
較正の一実施態様では、発光開始タイミングの適切なタイミングは、期間７０５中の１つまたは複数の時間において開始される発光により生成される画質の性質的な検討を使用して決定し得る。
【００４１】
別の例示的な実施態様では、カメラをテストして、所与の予測信号および／または予測事象でのそのカメラの時間期間７０５を決定することができる。一例では、画像取得手順が行われる（例えば、カメラトリガが押下され、画像が取得される）。予測信号および／または予測事象が検出される（例えば、磁石解放信号が検出される）。第１のシャッタブレードが移動を停止するタイミングが検出される（例えば、Ｘ同期信号を検出する）。予測信号および／または予測事象の時間と第１のシャッタブレードが移動を停止する時間との間の時間が特定される。その時間（例えば、時間７０５）は、後に使用するために記憶し得る（例えば、カメラのホットシューコネクタに追加された無線装置、またはカメラ内部の無線装置等のカメラのメモリ要素、フラッシュ同期装置のメモリ要素に）。時間７０５は、複数のカメラについて特定し、メモリに記憶し得る。時間７０５を表すデータは、対応するカメラの型式を表すデータに関連付け得る。カメラによっては、カメラの型式を識別するデータ信号を生成するものがある（例えば、カメラのホットシューコネクタを介して）。そのデータ信号を検出して使用し、時間７０５を表すデータを、カメラの型式を表すデータに相関付けることができる。
【００４２】
別の例では、カメラの第１のシャッタブレードが移動を停止する時間にカメラがＸ同期信号を生成するシャッタ速度のカメラを使用して、画像取得手順を行う。Ｘ同期信号の時間に関連するデータが検出され、記録される（例えば、メモリに）。カメラがＦＰ同期信号を生成するシャッタ速度のカメラを使用して（例えば、カメラがＸ同期信号を生成しない）、別の画像取得手順を行う。ＦＰ同期信号のタイミングが特定され、記録される（例えば、メモリに）。ＦＰ同期信号とＸ同期信号との間の時間が特定され、そのカメラの時間７０５として記録される（例えば、メモリに）。
【００４３】
時間７０５の決定は、随時行い得る。一例では、時間７０５は、同期装置（例えば、外付け装置、カメラに内部接続される装置）の製造時に決定される。別の例では、時間７０５は、本明細書に開示される実施態様または実施形態のうちの１つまたは複数により、早期同期を実行するようにカメラを変更する際に決定される。別の例では、時間７０５は、特定のシャッタ速度で使用して、発光時および画像取得時に所望の画質を生成するように早期同期機能を較正する際に、またはそれと略同じときに、カメラのユーザにより決定される。
【００４４】
図７を再び参照すると、時間期間７１０は、予測事象および／または予測信号から所望の発光開始までの時間を表す。時間期間７１５は、所望の発光開始時間と第１のシャッタブレードが移動を停止する時間との間の時間を表す。時間期間７１０および７１５は、例示のためのみに示され、図７の実際の尺度は、時間期間７１０および時間期間７１５の持続時間が相対定量的であることの暗示を意味しない。時間期間７１０および時間期間７１５は、時間期間７０５を任意の２つの持続時間に分割し得る（例えば、取得画像に所望の効果を生成する発光開始を行うように）。時間期間７０５、７１０、および／または７１５は、所望の画質になるように発光開始を較正するために利用し得る。
【００４５】
別の例示的な実施態様では、カメラユーザが、発光が所望の時間に行われる（例えば、所望の効果を取得画像に生成する）ように、時間期間７１５に所望の値を決定し得る。その場合、時間期間７１５を、所望の時間に発光を開始する時間期間７０５について記憶されている情報（および場合によっては、発光信号の生成と実際の発光開始との間の既知の時間遅延）と併せて使用し得る。一例では、早期同期機能は、カメラから、カメラの型式についてのデータを検出し、その情報を使用して、時間期間７０５の記憶されている値に相関付け得る。別の例では、ユーザは、ユーザ入力を介してカメラの型式データを早期同期機能に入力し得る。そのような一実施態様では、ユーザは、画像取得手順を開始して、カメラのシャッタ速度が特定の設定であり、発光開始が時間期間７１５の開始値である状態で、画像を取得する。一例では、最高速の所望シャッタ速度を初期較正として使用することができる（例えば、１／５００秒）。別の例では、所望する最高速度よりも遅いシャッタ速度を初期較正として使用することができる。ユーザは経験的に、画質に対する時間期間７１５の較正の所望の効果を評価する。次に、例えば、ブレードがセンサを横切って移動する間の過度の発光により、結果として生成される画像が暗化領域を有する場合、ユーザは時間期間７１５を短縮し得る（例えば、同期装置のユーザ入力、カメラのユーザ入力、および／または同期機能のプログラムに使用し得るユーザ較正ユーティリティを介して）。例えば、結果として生成される画像が、ブレードがセンサを横切って移動する間の過度の発光による暗化領域を有さない場合、ユーザは、時間期間７１５を延長することもできる（例えば、ユーザ入力を介して）。写真を検討して、時間期間７１５を調整するプロセスは、所望の較正が得られるまで繰り返すことができる。所望の時間期間７１５の較正は、メモリに記憶することができる。時間期間７１５のデータに、対応するシャッタ速度を表すデータおよび／または対応する、利用される照明装置を表すデータを関連付け得る。
【００４６】
別の例では、較正中に調整される時間期間は、時間期間７０５であり得る。さらに別の例では、時間期間７０５、７１０、７１５のうちの任意の１つまたは複数の較正値の単位は、時間に基づく単位でなくてもよい（例えば、第１のシャッタブレードの移動停止時間からの最小〜最大オフセット等の絶対数値単位）。
【００４７】
上述したように、発光開始のタイミングは、結果として生成される暗化領域が所与のシャッタ速度（例えば、従来の同期信号での同期では不可能なシャッタ速度）で最小になるように最適化することができる。暗化領域は、画像の他の領域よりも目に見えて暗い領域である。そのような一例では、較正を利用して、画像の暗化領域が生じないような発光開始のタイミングにすることができる。別の例では、較正を利用して、画像の縁部のごく小さな領域のみが暗化するような発光開始のタイミングにすることができる。そのような例での画像取得は、それらの小さな領域が画像の被写体を妨げないように行うことができる（例えば、両側をクロッピングすることができる）。さらに別の例では、第１のブレードがセンサの露光を開始してから、第２のブレードがセンサを完全に遮るまでの時間期間にわたり、発光の積分量がバランスされるように発光開始が行われるように、較正を行うことができる。そのような例では、非連続光強度光源を利用して、センサにわたり視覚的に均等な照明さえも達成し得る。さらに別の例では、発光の技術的なクリッピング（すなわち、第１のシャッタブレードがセンサをもはや遮らない状態になった後に初期臨界点が発生し、第２のシャッタブレードがセンサへの光を遮り始めた状態になった後、終期臨界点が発生する）を、結果として生成される画質に視覚的に殆ど影響せずに（例えば、結果として生成される画像に、視覚的に顕著に検出可能な画像暗化領域がない）行い得る。
【００４８】
表１は、異なる照明装置（例えば、Ｓｐｅｅｄｌｉｇｈｔ、Ｄｙｎａｌｉｔｅストロボ、Ｐｒｏｆｏｔｏ  Ａｃｕｔｅ２  ２４００、およびＥｌｉｎｃｒｈｏｍ  Ｓｔｙｌｅ  ３００ＲＸ）を使用して、様々なＣａｎｏｎカメラ(一番目の列に記載)に対して行った例示的な較正のデータ例を含む。この表に従い、各フラッシュが記載のシャッタ速度の状態での各カメラの所望の発光開始時間を決定するために、追加の較正値が利用される：予測信号／予測事象が発生してからＸ同期までの時間。その値から表１中の値が差し引かれて、予測信号および／または予測事象から発光開始までの時間を特定する。特定されたこの時間を他の値（例えば、開始信号の無線送信に必要な時間についての知識、無線送信のパルス長についての知識）と共に使用して、所望の発光開始時間前に照明装置に通信される送信信号に含める時間遅延値を計算する。例えば、Ｓｐｅｅｄｌｉｇｈｔの第２のシャッタ速度が１／５００秒の状態で、Ｃａｎｏｎ  １Ｄｍｋ  ＩＩを使用して、時間期間１１１５が３２０マイクロ秒の値を使用することにより、望ましい画質が特定された。別の例では、Ｃａｎｏｎ  ５Ｄ  Ｍａｒｋ  ＩＩのブレード移動時間が比較的遅いことに留意する。これにより、１４００マイクロ秒の較正値でもなお、第１のシャッタブレードがセンサへの通光を開始した後、発光を開始させることができる。
【００４９】
【表１】
2012517624.tif 000003
【００５０】
別の例示的な実施態様では、較正値（例えば、時間期間７１５の値）の動的調整を、所与のシャッタ速度に記憶された値に基づいて実施し得る。例えば、時間期間７１５の値が、所与のカメラとライトとの組み合わせで第２のシャッタ速度１／５００秒で３００マイクロ秒である場合、他のシャッタ速度での時間期間７１５の値を動的に割り当てることができる（例えば、カメラおよび／または同期装置の処理要素および／または他の回路を介して）。一例では、合計較正値（例えば、時間期間７１５の時間値）を、既知の較正値のシャッタ速度と、Ｘ同期で動作することが既知のシャッタ速度（通常、第１のシャッタブレードが移動を停止する時間）との間のいくつかの部分的なｆストップの数で除算することができる。１／５００秒で３００マイクロ秒の上記例では、１／２５０秒のシャッタ速度が、カメラによりサポートされる最高Ｘ同期シャッタ速度であることが分かり得る。３つの部分的なｆストップが１／５００秒と１／２５０秒との間にあり得る（例えば、１／５００秒、１／４００秒、１／３２０秒、１／２５０秒）。２００マイクロ秒の較正値の動的な割り当てを、１／４００秒のシャッタ速度に割り当てることができ、１００マイクロ秒を１／３２０秒のシャッタ速度に割り当てることができ、０マイクロ秒を１／２５０のシャッタ速度に割り当てることができる。
【００５１】
図８は、１／２００秒、１／２５０秒、１／３２０秒、および１／４００秒の第２のシャッタ速度で動作するカメラとフラッシュとの組み合わせのタイミングデータを示す。図８は、時間期間７１５の異なる較正値で開始される各シャッタ速度の場合の発光のフラッシュパルスプロファイルを示す。各事例において、発光は、第１のシャッタブレードがセンサへの通光を開始した後であるが、Ｘ同期信号の前に開始された。シャッタ速度が速いほど、開始時間を早めることにより、結果として生成される画像のクリッピングがなくなった。
【００５２】
図９は、早期同期方法の別の実施形態を示す。ステップ９０５において、初期臨界点および終期臨界点を有する発光プロファイルを有する写真照明装置が提供される。初期臨界点および終期臨界点については上述した。ステップ９１０において、写真照明装置が関連付けられたカメラの第１のシャッタブレードが移動停止する前に、写真照明装置からの発光が開始される。発光の開始は、初期臨界点が、第１のシャッタブレードがもはやセンサへの通光を遮らない点に移動する約１マイクロ秒前以後の時点で発生するようなものである。
【００５３】
一例では、初期臨界点は、第１のシャッタブレードがセンサへの通光をもはや遮らない点に移動する約５００マイクロ秒前以後で発生する。別の例では、初期臨界点は、第１のシャッタブレードがセンサへの通光をもはや遮らない点に移動する約２５０マイクロ秒前以後で発生する。さらに別の例では、初期臨界点は、第１のシャッタブレードがセンサへの通光をもはや遮らない点に移動するときとおおよそ同時に発生する。さらに別の例では、初期臨界点は、第１のシャッタブレードがセンサへの通光をもはや遮らない点に移動した後に発生する。さらに別の例では、初期臨界点は、第１のシャッタブレードが移動を停止する前に発生する。さらなる例では、終期臨界点は、第２のシャッタブレードがセンサへの通光の遮断を開始する点に移動する約５００マイクロ秒後以前で発生する。さらなる例では、終期臨界点は、第２のシャッタブレードがセンサへの通光の遮断を開始する点に移動する約２５０マイクロ秒後以前で発生する。さらなる例では、終期臨界点は、第２のシャッタブレードがセンサへの通光の遮断を開始する点に移動する時間と略同じ時間に発生する。さらなる例では、終期臨界点は、第２のシャッタブレードがセンサへの通光の遮断を開始する点に移動する時間前に発生する。この段落のうちの任意の１つまたは複数を組み合わせて、初期臨界点の発生に対する初期時間限度および終期臨界点の発生に対する終期時間限度、および／または初期臨界点の発生に対する終期時間限度を提供する様々な実施態様が存在することが意図される。例えば、一実施態様では、第１のシャッタブレードがセンサへの通光をもはや遮らない点に移動した時間後、初期臨界点が発生し、第２のシャッタブレードがセンサへの通光の遮断を開始する点に移動する前、終期臨界点が発生する。
【００５４】
図１０は、フラッシュ開始から初期臨界点までの時間１００５を示すタイミングプロットを示す。この時間は、発光開始時間をオフセットさせて、初期臨界点を所望の時間に発生させる上述した較正プロセスに利用することができる。一例では、フラッシュ装置の時間１００５が測定される。測定された時間値は、早期同期システム（例えば、システム１３００）の較正および動作の際に使用するために、メモリに記憶し得る。一例では、時間１００５に基づいて較正オフセット値を変更させた結果、取得される画像の経験的な観測により、第１のシャッタブレードの縁部がセンサへの通光を完全に遮らなくなる時間に対する初期臨界点の最適な位置を示すことができる。
【００５５】
図１１は、所望のフラッシュ開始から初期臨界点までの時間１１０５を示すタイミングプロットを示す。時間１１１０は、予測信号が検出されてから所望のフラッシュ開始までの時間である。
【００５６】
図１２は、所望のフラッシュ開始から初期臨界点までの時間１２０５を示すタイミングプロットを示す。時間１２１５は、フラッシュ開始信号が生成された時間から所望のフラッシュ開始までの時間である。上述したように、時間１２１５は、例えば、回路送信時間および／または無線送信時間による影響を受けることがある。
【００５７】
図１３は、所望のフラッシュ開始から初期臨界点までの時間１３０５を示すタイミングプロットを示す。時間１３１０は、予測信号が検出されてから所望のフラッシュ開始までの時間である。時間１３１５は、フラッシュ開始信号が生成されてから所望のフラッシュ開始までの時間である。
【００５８】
例示的な一実施態様では、時間期間１００５および上述した較正情報（例えば、予測信号／予測事象からＸ同期までの時間、較正オフセット値の時間、および予測信号／予測事象から所望の発光開始までの時間）の利用により、初期臨界点のタイミングを、第１のシャッタブレードがセンサの視野から出る１ｍｓ前以後の所望の時間に位置決めすることができる。
【００５９】
図１４は、画像を取得するために、予測信号および／または予測事象を使用して、１つまたは複数の照明装置を同期させる方法の別の実施態様を示す。ステップ１４０５において、予測信号および／または予測事象が検出される。ステップ１４１０において、時間予測信号および／または時間予測事象から所望の初期臨界点までの時間が、相関付けられる。一例では、初期臨界点の時間の相関付けは、予測信号および／または予測事象が発生してから初期臨界点が発生するまでの時間を特定すること、ならびに照明装置の発光開始から、照明装置が初期臨界点で光を生成するまでの時間の既知の値を差し引くことを含む。別の例では、初期臨界点の時間の相関付けは、予測信号および／または予測事象の発生から所望の発光開始までの時間を提供する、照明装置の時間値を有する（例えば、時間遅延値を含む）テーブルを参照することを含む。適切な発光開始時間を相関付ける他の方法が、本明細書における開示から当業者には明らかになろう。ステップ１４１５において、第１のシャッタブレードが撮像センサの視野から出る１ミリ秒前以後に初期臨界点があるように、発光が開始される。ステップ１４２０において、１つまたは複数の照明装置を使用して、画像が取得される。
【００６０】
図１５は、画像を取得するために、１つまたは複数の照明装置による画像露光用の所与の種類の発光を同期させる方法のさらに別の実施態様を示す。ステップ１５０５において、Ｘ同期の開始を命令するように意図された事象および信号でなく、Ｘ同期前に発生するカメラ予測事象および／またはカメラ予測信号が識別される。一例では、予測事象および／または予測信号は、カメラの第１のシャッタブレードがセンサの撮像部分に通光させる点に移動する前に発生する。ステップ１５１０において、予測事象および／または予測信号の発生に基づいて、発光を開始する命令が写真照明装置に通信される。ステップ１５１５において、発光が開始される。一例では、第１のシャッタブレードが、カメラの画像取得センサの撮像部分への露光を開始した後、かつ第１のシャッタブレードの移動停止に関連付けられたＸ同期前、発光が開始される。別の例では、第１のシャッタブレードがセンサの撮像部分への通光をもはや遮らない位置に移動する約１ミリ秒前以後で、照明装置のフラッシュプロファイルの初期臨界点が発生するように、発光が開始される。
【００６１】
上述したように、様々なカメラ予測事象およびカメラ予測信号を、同期に利用することができる。一例では、カメラ予測事象および／またはカメラ予測信号は、カメラの直列データ通信である。そのような一例では、直列データ通信は電力設定コマンドである。別の例では、直列データ通信はモード設定コマンドである。さらなる例では、カメラ予測事象および／またはカメラ予測信号は、カメラのクロック信号の電圧降下である。さらに別の例では、カメラ予測事象および／またはカメラ予測信号は、シャッタ磁石解放信号の開始である。さらに別の例では、カメラ予測事象および／またはカメラ予測信号は、ＦＰ同期信号の開始であり、発光を開始することはＦＰ型フラッシュ発光を含まない。
【００６２】
写真照明装置への発光開始命令の通信は、様々な方法で行うことができる。上述したように、発光開始は多くの環境で行うことができる。一例では、そのような通信は、カメラ内部で命令を内部照明装置に送出することを含む。これは、有線電気接続により行い得る。別の例では、そのような通信は、カメラのホットシューコネクタを介して命令を写真照明装置に送出することを含み、写真照明装置はホットシューコネクタ内に位置決めされる。さらに別の例では、そのような通信は、命令を写真照明装置に無線で送信することを含む。様々な無線送信機能およびプロセスが、他の実施態様に関して本明細書において考察されており、本実施形態でも適宜有用である。無線送信のそのような一例では、無線通信装置がカメラに接続され（例えば、ホットシューコネクタ、ＵＳＢコネクタ、プロプライエタリコネクタ等を介して）、命令を遠隔照明装置に無線で送信する無線通信機能をカメラに提供する。別のそのような例では、無線通信機能はカメラ内部にあり、命令を遠隔照明装置に無線で送信するために利用される。
【００６３】
命令の無線通信は、様々なときに行われ得る。一例では、命令は、第１のシャッタブレードがセンサの撮像部分への通光をもはや遮らない位置に移動する前に無線で送信される。別の例では、命令は、第１のシャッタブレードがセンサの撮像部分への通光をもはや遮らない位置に移動する前に、写真照明装置に関連付けられた無線通信受信器により受信される。さらに別の例では、命令は、通常のフラッシュ開始事象または信号の発生前に、無線で送信される。さらに別の例では、命令は、通常のフラッシュ開始事象または信号の発生前に、写真照明装置に関連付けられた無線通信受信器により受信される。
【００６４】
発光を開始する命令は、照明装置が実際に発光する適切な時間を特定するための情報を含む。上述したように、発光を開始する命令の送受信に関して、様々な要因が実際の発光のタイミングに影響し得る。発光は、照明装置による（例えば、照明装置に関連付けられた無線受信装置による）受信時間から遅延した時間に行われ得る。一例では、命令は、発光を開始する事前に計算された時間を含む。別の例では、命令は遅延係数を含む。
【００６５】
図１６は、カメラの画像を取得するために、１つまたは複数の照明装置を同期させる方法の例示的な実施態様を示す。この方法は、プロットの左から右に経過する時間にわたる様々なプロット１６００を用いて示される。この方法は、電圧プロット１６１０に表されるカメラの直列データ出力の直列データ送信である予測信号１６０５を利用する。一例では、予測信号１６０５は、電力設定コマンドの直列データ通信である。そのような一例では、電力設定コマンドは、第１のシャッタブレードの移動開始前に発生する。プロット１６１５は、初期閉位置（最初の低い水平線で表される）からカメラのシャッタ機構に光を通す位置（プロットの２番目の高い水平部分で表される）へのカメラのミラーの物理的な移動を表す。プロット１６２０は、カメラの撮像センサからの光を遮る初期位置（プロットの最初の水平部分で表される）から、第２の停止位置（プロットの２番目の水平部分で表される）への第１のシャッタブレードの縁部の移動を示す。停止位置では、第１のシャッタブレードは、撮像センサからの通光を妨げない。２つの水平部分を繋ぐ斜めの部分は、光を完全に遮る位置から、撮像センサが第１のシャッタブレードにより部分的に遮られる時間を通して、第１のシャッタブレードが撮像センサへの光をもはや遮らない時間への第１のシャッタブレードの移動を表す。第１のシャッタブレードの移動の開始は、様々な方法で行われ得る。一例では、第１のシャッタブレードは、シャッタブレードを定位置に保持する磁石が解放された結果、行われる。そのような例では、磁石は、磁石解放信号により解放し得る。プロット１６２５は、初期開位置（プロットの最初の水平線で表される）から、第２のシャッタブレードがレンズから撮像センサへの光を完全に遮る第２の停止位置（プロットの２番目の水平部分で表される）への第２のシャッタブレードの縁部の移動を示す。２つの水平部分を繋ぐ斜めの部分は、センサへの光を遮らない位置から、シャッタブレードがセンサへの光を部分的に遮る時間を通して、センサへの光を完全に遮る時間への第２のシャッタブレードの移動を表す。破線１６３０は、第１のシャッタブレードの縁部が撮像センサへの光をもはや遮らないように、撮像センサの視野内にない時間を記す。この例では、この時間は、第１のシャッタブレードが移動を停止する前に発生する。破線１６３５は、第２のシャッタブレードの前縁部が、撮像センサへの通光を遮り始める時間を記す。この例では、この時間は、第２のシャッタブレードが移動を開始した後の時点で発生する。破線１６３０と１６３５との間の時間１６４０は、撮像センサが両シャッタブレードにより完全に遮られていない状態にある時間である。プロット１６４５は、時間期間１６４０に関連付けられたオプションの電圧変更プロットを示す。プロット１６５０は、第１のシャッタブレードが移動を停止する時間と略同じ時間での電圧変更で開始され、第２のシャッタブレードが移動を停止する時間での電圧変更で終了する、カメラの従来のＸ同期信号の電圧変更プロットを示す。
【００６６】
プロット１６５５は、本明細書に記載の発光を開始する実施態様のうちの何れか１つに従って、同期情報をカメラから１つまたは複数の写真照明装置に通信するために使用される無線送信信号を表す。プロット１６５５は、第１の同期送信１６６０、第２の同期送信１６６２、およびデータ送信１６６４の表現を含む。第１の同期送信１６６０は、本明細書において考察される発光開始タイミングの実施形態および実施態様のうちの任意の１つまたは複数に従って、写真照明装置による発光を同期させる命令を含む送信である。第２の同期送信１６６２はオプションの送信である。この例では、第２の同期送信１６６２は、時間遅延係数を使用する早期同期機能に関連付けられていない１つまたは複数の照明装置により受信される送信である。第２の同期送信１６６２は、開始時間が無線送信の受信と略同時（例えば、Ｘ同期の時間または別の所定の時間に）であるような無線発光開始指示信号をそのような装置に提供する。一例では、送信１６６０および１６６２は、それぞれの対応する照明装置による発光開始を同時に発生させるように構成される。別の例では、送信１６６０および１６６２は、異なる時間に発光を開始させるように構成される。データ送信１６６４もオプションの送信である。早期に送信されるデータ送信は、画像取得についての（例えば、タイミング情報以外の）情報、カメラについての情報、およびこれらの任意の組み合わせを遠隔照明装置に提供することができる。この例では、データ送信１６６４は、電力設定コマンド１６０５から得られる電力設定に関する情報を送信する。
【００６７】
プロット１６７０は、照明装置の発光強度プロファイルを示す。破線１６７２は、これを超えると撮像センサが照明装置の発光を周囲光よりも強いものとして検出可能な強度レベルを記す。初期臨界点１６７４は、撮像センサが、発光を周囲光よりも強いものとして初めて検出可能な発光プロファイル上の点である。終期臨界点１６７６は、撮像センサが発光を周囲光よりも強いものとして最後に検出可能な発光プロファイル上の点である。発光曲線下の斜線がかかった領域は、撮像センサにより検出可能な発光を表す。発光は、第１のシャッタブレードが、撮像センサへの通光を開始した後、かつ第１のシャッタブレードが移動を停止する前に開始される。
【００６８】
この実施態様では、予測信号１６０５が検出される。一例では、この発生は、点線１６８０で表される時間での最後のデータビットから測定される。予測信号１６０５の発生に基づいて、第１の同期送信１６６０が照明装置に通信される。第１の同期送信１６６０は、プロット１６７０に示されるように発光を開始するように、照明装置の発光を開始させる命令を含む。この例では、発光は、Ｘ同期前、かつ第１のシャッタブレードがセンサの露光を開始した後、開始される。初期臨界点１６７４および終期臨界点１６７６のそれぞれは、時間窓１６４０内で発生する。上述したように、発光は、初期臨界点１６７４がＸ同期時間および／または線１６３０で表される時間に対して任意の様々な時間に発生するように、開始することができる。上述した例を初期臨界点１６７４のタイミングに適用し得ることが意図される。
【００６９】
図１６に関して示されるように、第１の同期送信は、予測信号１６０５の発生後の時間１６８５および第１のシャッタブレードがセンサの視野から出る（すなわち、線１６３０で示される時間）前の時間１６９０において開始される。同期送信１６６０に含まれる発光開始命令は、予測信号１６０５後の送信時間１６８５を特定する際、および／または送信１６６０を受信した後、いつ発光を開始するかについて命令に含まれる時間遅延係数を特定する際、時間１６８０と時間１６３０との間の合計時間、時間１６８５、時間１６９０、時間遅延係数、送信による既知の遅延、照明装置の励起による既知の遅延、および／または他の係数を利用し得る。様々な較正手順について上述した。さらなる較正手順について、以下においてさらに考察する（例えば、図１９および図２０に関して）。
【００７０】
図１７は、カメラの画像を取得するために、１つまたは複数の照明装置を同期させる方法の例示的な実施態様を示す。この方法は、プロットの左から右に経過する時間にわたる様々なプロット１７００を用いて示される。この方法は、予測信号として後述するＦＰ同期信号を利用する。データ信号１７０５は、電圧プロット１７１０に表されるカメラの直列データ出力の直列データ送信である。プロット１７１５は、初期閉位置（最初の低い水平線で表される）からカメラのシャッタ機構に光を通す位置（プロットの２番目の高い水平部分で表される）へのカメラのミラーの物理的な移動を表す。プロット１７２０は、カメラの撮像センサからの光を遮る初期位置（プロットの最初の水平部分で表される）から、第２の停止位置（プロットの２番目の水平部分で表される）への第１のシャッタブレードの縁部の移動を示す。停止位置では、第１のシャッタブレードは、撮像センサからの通光を妨げない。２つの水平部分を繋ぐ斜めの部分は、光を完全に遮る位置から、撮像センサが第１のシャッタブレードにより部分的に遮られる時間を通して、第１のシャッタブレードが撮像センサへの光をもはや遮らない時間への第１のシャッタブレードの移動を表す。第１のシャッタブレードの移動の開始は、様々な方法で行われ得る。一例では、第１のシャッタブレードは、シャッタブレードを定位置に保持する磁石が解放された結果、行われる。そのような例では、磁石は、磁石解放信号により解放し得る。プロット１７２５は、初期開位置（プロットの最初の水平部分で表される）から、第２のシャッタブレードがレンズから撮像センサへの光を完全に遮る第２の停止位置（プロットの２番目の水平部分で表される）への第２のシャッタブレードの縁部の移動を示す。２つの水平部分を繋ぐ斜めの部分は、センサへの光を遮らない位置から、シャッタブレードがセンサへの光を部分的に遮る時間を通して、センサへの光を完全に遮る時間への第２のシャッタブレードの移動を表す。破線１７３０は、第１のシャッタブレードの縁部が撮像センサへの光をもはや遮らないように、撮像センサの視野内にない時間を記す。この例では、この時間は、第１のシャッタブレードが移動を停止する前に発生する。破線１７３５は、第２のシャッタブレードの前縁部が、撮像センサへの通光を遮り始める時間を記す。この例では、この時間は、第２のシャッタブレードが移動を開始した後の時点で発生する。破線１７３０と１７３５との間の時間１７４０は、撮像センサが両シャッタブレードにより完全に遮られていない状態にある時間である。プロット１７４５は、時間期間１７４０に関連付けられたオプションの電圧変更プロットを示す。プロット１７５０は、第１のシャッタブレードが移動を停止する時間と略同じ時間での電圧変更で開始され、第２のシャッタブレードが移動を停止する時間での電圧変更で終了する、カメラの従来のＸ同期信号の電圧変更プロットを示す。プロット１７５２は、第１のシャッタブレードが撮像センサの露光を開始する前に発生する、線１７８０で表される時間での電圧変更で開始される、カメラの従来のＦＰ同期信号の電圧変更プロットを示す。ＦＰ同期信号を有するいくつかのシステムの例示的な一態様では、カメラにより生成されるＸ同期信号がない。そのような状況では、Ｘ同期のタイミング（およびＸ同期に対する発光開始のタイミング）は、第１のシャッタブレードの移動停止時間の特定等の他の指標を使用して特定することができる。他のオプションが、本開示から当業者に明らかになろう。
【００７１】
プロット１７５５は、本明細書に記載の発光を開始する実施態様のうちの何れか１つに従って、同期情報をカメラから１つまたは複数の写真照明装置に通信するために使用される無線送信信号を表す。プロット１７５５は、第１の同期送信１７６０、第２の同期送信１７６２、およびデータ送信１７６４の表現を含む。第１の同期送信１７６０は、本明細書において考察される発光開始タイミングの実施形態および実施態様のうちの任意の１つまたは複数に従って、写真照明装置による発光を同期させる命令を含む送信である。第２の同期送信１７６２はオプションの送信である。この例では、第２の同期送信１７６２は、時間遅延係数を使用する早期同期機能に関連付けられていない１つまたは複数の照明装置により受信される送信である。第２の同期送信１７６２は、開始時間が無線送信の受信と略同時（例えば、Ｘ同期の時間または別の所定の時間に）であるような無線発光開始指示信号をそのような装置に提供する。一例では、送信１７６０および１７６２は、それぞれの対応する照明装置による発光開始を同時に発生させるように構成される。別の例では、送信１７６０および１７６２は、異なる時間に発光を開始させるように構成される。データ送信１７６４もオプションの送信である。早期に送信されるデータ送信は、画像取得についての（例えば、タイミング情報以外の）情報、カメラについての情報、およびこれらの任意の組み合わせを遠隔照明装置に提供することができる。この例では、データ送信１７６４は、電力設定コマンド１７０５から得られる電力設定に関する情報を送信する。
【００７２】
プロット１７７０は、照明装置の発光強度プロファイルを示す。破線１７７２は、これを超えると撮像センサが照明装置の発光を周囲光よりも強いものとして検出可能な強度レベルを記す。初期臨界点１７７４は、撮像センサが、発光を周囲光よりも強いものとして初めて検出可能な発光プロファイル上の点である。終期臨界点１７７６は、撮像センサが発光を周囲光よりも強いものとして最後に検出可能な発光プロファイル上の点である。発光曲線下の斜線がかかった領域は、撮像センサにより検出可能な発光を表す。発光は、第１のシャッタブレードが、撮像センサへの通光を開始した後、かつ第１のシャッタブレードが移動を停止する前に開始される。
【００７３】
この実施態様では、データ信号１７０５が検出される。この例では、この信号１７０５は、データ送信１７６４にデータを提供するために利用される。ＦＰ同期信号の開始（時間１７０８での電圧降下で示される）は、予測信号として利用される。予測信号の発生に基づいて、第１の同期送信１７６０が照明装置に通信される。第１の同期送信１７６０は、プロット１７７０に示されるように発光を開始するように、照明装置の発光を開始させる命令を含む。この例では、発光は、Ｘ同期前、かつ第１のシャッタブレードがセンサの露光を開始した後、開始される。初期臨界点１７７４および終期臨界点１７７６のそれぞれは、時間窓１７４０内で発生する。上述したように、発光は、初期臨界点１７７４がＸ同期時間および／または線１７３０で表される時間に対して任意の様々な時間に発生するように、開始することができる。上述した例を初期臨界点１７７４のタイミングに適用し得ることが意図される。
【００７４】
図１７に関して示されるように、第１の同期送信は、ＦＰ同期信号の発生後の時間１７８５および第１のシャッタブレードがセンサの視野から出る（すなわち、線１７３０で示される時間）前の時間１７９０において開始される。同期送信１７６０に含まれる発光開始命令は、予測信号後の送信時間１７８５を特定する際、および／または送信１７６０を受信した後、いつ発光を開始するかについて命令に含まれる時間遅延係数を特定する際、時間１７８０と時間１７３０との間の合計時間、時間１７８５、時間１７９０、時間遅延係数、送信による既知の遅延、照明装置の励起による既知の遅延、および／または他の係数を利用し得る。様々な較正手順について上述した。さらなる較正手順について、以下においてさらに考察する（例えば、図１９および図２０に関して）。
【００７５】
図１８は、カメラの画像を取得するために、１つまたは複数の照明装置を同期させる方法の例示的な実施態様を示す。この方法は、プロットの左から右に経過する時間にわたる様々なプロット１８００を用いて示される。この方法は、インジケータ信号１８０５および予測信号（例えば、プロット１８０８で表されるカメラのクロック線の電圧降下）の組み合わせを利用する。データ信号１８０５は、電圧プロット１８１０に表されるカメラの直列データ出力の直列データ送信である。予測信号１８１２は、第１のシャッタブレードが時間１８３０においてセンサの視野から出る前に発生する、点線１８８０で表される時間において開始する。プロット１８１５は、初期閉位置（最初の低い水平線で表される）からカメラのシャッタ機構に光を通す位置（プロットの２番目の高い水平部分で表される）へのカメラのミラーの物理的な移動を表す。プロット１８２０は、カメラの撮像センサからの光を遮る初期位置（プロットの最初の水平部分で表される）から、第２の停止位置（プロットの２番目の水平部分で表される）への第１のシャッタブレードの縁部の移動を示す。停止位置では、第１のシャッタブレードは、撮像センサからの通光を妨げない。２つの水平部分を繋ぐ斜めの部分は、光を完全に遮る位置から、撮像センサが第１のシャッタブレードにより部分的に遮られる時間を通して、第１のシャッタブレードが撮像センサへの光をもはや遮らない時間への第１のシャッタブレードの移動を表す。第１のシャッタブレードの移動の開始は、様々な方法で行われ得る。一例では、第１のシャッタブレードは、シャッタブレードを定位置に保持する磁石が解放された結果、行われる。そのような例では、磁石は、磁石解放信号により解放し得る。プロット１８２５は、初期開位置（プロットの最初の水平線で表される）から、第２のシャッタブレードがレンズから撮像センサへの光を完全に遮る第２の停止位置（プロットの２番目の水平部分で表される）への第２のシャッタブレードの縁部の移動を示す。２つの水平部分を繋ぐ斜めの部分は、センサへの光を遮らない位置から、シャッタブレードがセンサへの光を部分的に遮る時間を通して、センサへの光を完全に遮る時間への第２のシャッタブレードの移動を表す。破線１８３０は、第１のシャッタブレードの縁部が撮像センサへの光をもはや遮らないように、撮像センサの視野内にない時間を記す。この例では、この時間は、第１のシャッタブレードが移動を停止する前に発生する。破線１８３５は、第２のシャッタブレードの前縁部が、撮像センサへの通光を遮り始める時間を記す。この例では、この時間は、第２のシャッタブレードが移動を開始した後の時点で発生する。破線１８３０と１８３５との間の時間１８４０は、撮像センサが両シャッタブレードにより完全に遮られていない状態にある時間である。プロット１８４５は、時間期間１８４０に関連付けられたオプションの電圧変更プロットを示す。プロット１８５０は、第１のシャッタブレードが移動を停止する時間と略同じ時間での電圧変更で開始され、第２のシャッタブレードが移動を停止する時間での電圧変更で終了する、カメラの従来のＸ同期信号の電圧変更プロットを示す。
【００７６】
プロット１８５５は、本明細書に記載の発光を開始する実施態様のうちの何れか１つに従って、同期情報をカメラから１つまたは複数の写真照明装置に通信するために使用される無線送信信号を表す。プロット１８５５は、第１の同期送信１８６０、第２の同期送信１８６２、およびデータ送信１８６４の表現を含む。第１の同期送信１８６０は、本明細書において考察される発光開始タイミングの実施形態および実施態様のうちの任意の１つまたは複数に従って、写真照明装置による発光を同期させる命令を含む送信である。第２の同期送信１８６２はオプションの送信である。この例では、第２の同期送信１８６２は、時間遅延係数を使用する早期同期機能に関連付けられていない１つまたは複数の照明装置により受信される送信である。第２の同期送信１８６２は、開始時間が無線送信の受信と略同時（例えば、Ｘ同期の時間または別の所定の時間に）であるような無線発光開始指示信号をそのような装置に提供する。一例では、送信１８６０および１８６２は、それぞれの対応する照明装置による発光開始を同時に発生させるように構成される。別の例では、送信１８６０および１８６２は、異なる時間に発光を開始させるように構成される。データ送信１８６４もオプションの送信である。早期に送信されるデータ送信は、画像取得についての（例えば、タイミング情報以外の）情報、カメラについての情報、およびこれらの任意の組み合わせを遠隔照明装置に提供することができる。この例では、データ送信１８６４は、電力設定コマンド１８０５から得られる電力設定に関する情報を送信する。
【００７７】
プロット１８７０は、照明装置の発光強度プロファイルを示す。破線１８７２は、これを超えると撮像センサが照明装置の発光を周囲光よりも強いものとして検出可能な強度レベルを記す。初期臨界点１８７４は、撮像センサが、発光を周囲光よりも強いものとして初めて検出可能な発光プロファイル上の点である。終期臨界点１８７６は、撮像センサが発光を周囲光よりも強いものとして最後に検出可能な発光プロファイル上の点である。発光曲線下の斜線がかかった領域は、撮像センサにより検出可能な発光を表す。発光は、第１のシャッタブレードが、撮像センサへの通光を開始した後、かつ第１のシャッタブレードが移動を停止する前に開始される。
【００７８】
この実施態様では、データ信号１８０５が検出される。この例では、この信号１８０５は、データ送信１８６４にデータを提供するために利用される。信号１８０５は、クロック線１８０８での次の大きな降下が、１つまたは複数の照明装置の開始のタイミングをとるために利用できる信頼性の高い予測信号であることのインジケータとしても使用される。クロック線の電圧降下の開始が、予測信号１８１２として使用される。予測信号１８１２の発生に基づいて、第１の同期送信１８６０が照明装置に通信される。第１の同期送信１８６０は、プロット１８７０に示されるように発光を開始するように、照明装置の発光を開始させる命令を含む。この例では、発光は、Ｘ同期前、かつ第１のシャッタブレードがセンサの露光を開始した後、開始される。初期臨界点１８７４および終期臨界点１８７６のそれぞれは、時間窓１８４０内で発生する。上述したように、発光は、初期臨界点１８７４がＸ同期時間および／または線１８３０で表される時間に対して任意の様々な時間に発生するように、開始することができる。上述した例を初期臨界点１８７４のタイミングに適用し得ることが意図される。
【００７９】
図１８に関して示されるように、第１の同期送信は、予測信号１８１２の発生後の時間１８８５および第１のシャッタブレードがセンサの視野から出る（すなわち、線１８３０で示される時間）前の時間１８９０において開始される。同期送信１８６０に含まれる発光開始命令は、予測信号後の送信時間１８８５を特定する際、および／または送信１８６０を受信した後、いつ発光を開始するかについて命令に含まれる時間遅延係数を特定する際、時間１８８０と時間１８３０との間の合計時間、時間１８８５、時間１８９０、時間遅延係数、送信による既知の遅延、照明装置の励起による既知の遅延、および／または他の係数を利用し得る。様々な較正手順について上述した。さらなる較正手順について、以下においてさらに考察する（例えば、図１９および図２０に関して）。
【００８０】
図１９は、発光開始のタイミングを特定する際に使用する時間較正値を特定するための較正手順の例示的なさらなる実施態様を示す。ステップ１９０５において、予測信号および／または予測事象が検出される。ステップ１９１０において、Ｘ同期（例えば、第１のシャッタブレードの移動停止）の発生時間および／または第１のシャッタブレードがセンサの視野から出ることの実施時間が特定される。一例では、ステップ１９１５において、予測信号および／または予測事象からＸ同期の発生までの時間が特定される。別の例では、ステップ１９１５において、予測信号および／または予測事象から、第１のシャッタブレードがセンサの視野から出るまでの時間が特定される。ステップ１９１５の結果として生成されるデータ値は、本明細書において考察されるように、同期の較正に使用される較正値として記憶される。
【００８１】
図２０は、較正手順の例示的な別の実施態様を示す。ステップ２００５において、較正画像取得シーケンスが開始される。カメラ本体の第２のシャッタブレードの移動開始時が、ステップ２０１０において特定される。一例では、カメラが、第２のシャッタブレードの移動開始を示す信号を提供し得る。ステップ２０１５において、画像取得のシャッタ速度、カメラのシャッタブレード移動時間、ならびに予測信号および／または予測事象の発生から、第２のシャッタブレードの移動開始までの時間を使用して、予測信号および／または予測事象から第１のシャッタブレードの移動停止（例えば、Ｘ同期）までの時間を特定される。ステップ２０２０において、結果として生成される値は、発光開始のタイミングをとる際に支援として使用できる較正値として記憶され、かつ／または使用される。一例では、ステップ２０１５は、カメラのシャッタ速度およびシャッタブレード移動時間を利用して、第１のシャッタブレードの移動停止から、第２のシャッタブレードの移動開始までの時間を特定することをさらに含む。そのような一例では、シャッタ速度は、第１のシャッタブレードの移動開始から第２のシャッタブレードの移動開始までの時間を示す。開始から終了までの第１のシャッタブレードのブレード移動時間を使用し、この移動時間をシャッタ速度表示値から差し引くことにより、第１のシャッタブレードの移動停止から第２のシャッタブレードの移動開始までの時間を特定することができる。ブレード移動時間は、カメラの型式毎に様々なであり得、解析およびまたは印刷物の値から特定することができる。画像取得中のカメラのシャッタ速度は、様々な方法で特定することができる。シャッタ速度を特定する方法例としては、カメラに外部コネクタ（例えば、無線通信機能が接続されたもの、この例としては以下の図３５および図３６を参照のこと）を介しての検出、カメラのユーザインタフェースの観測、およびこれらの任意の組み合わせが挙げられるが、これらに限定されない。１つまたは複数のカメラのブレード移動時間は、較正中、ならびに／あるいは本明細書において考察される実施形態および／または実施態様のうちの任意の１つまたは複数の実施中に検索するために、記憶することができる。
【００８２】
ステップ２０１５は、予測信号および／または予測事象の発生から第２のシャッタブレードの移動開始までの時間ならびに第１のシャッタブレードの移動停止から第２のシャッタブレードの移動開始までの時間を利用して、予測信号および／または予測事象から第１のシャッタブレードの移動停止までの時間を特定することをさらに含み得る。較正の一態様では、予測信号からＸ同期までの時間に様々な調整をした画像の解析を、様々な実施態様において使用して、発生し得るクリッピングを検討することにより（例えば、製造業者からの印刷物の値により提供されるような、所与のフラッシュの発光開始から初期臨界点までの時間の値を利用して）、第１のシャッタブレードがセンサの視野から出るおおよその時間を特定することができる。
【００８３】
第１のシャッタブレードがセンサの視野からでる時間の特定は、様々な方法で行うことができる。一例では、Ｘ同期信号を検出でき、前の事象（例えば、画像取得の始動）からＸ同期信号開始までの時間を測定できるように、シャッタ速度設定を行い得る。ＦＰ同期信号を検出でき、同じ前の事象からＦＰ同期信号の開始までの時間を測定できるように、シャッタ速度設定を行うことができる。中央点の差を特定することができる。例えば、Ｘ同期までの時間が５０ミリ秒であり、ＦＰ同期までの時間が４５ミリ秒である場合、ＦＰ同期信号からＸ同期信号までの時間は５ミリ秒である。カメラをＦＰ同期モードで使用して、無線通信装置はカメラに接続される。無線通信装置は、カメラからのＦＰ同期信号を受信してから、遠隔発光を開始するまでに時間の遅延を含む可能性を有する。この遅延は、連続した画像取得において調整されて、画像が解析され、画像のクリッピングがいつ止まったかを特定する。その時点での遅延が、ＦＰ同期信号の開始からセンサの視野から出るまでの時間の特定に使用される。ＦＰ同期から他の予測信号までの時間を測定し、予測信号と、第１のシャッタブレードがセンサの視野から出る時間との間の時間を特定することができる。
【００８４】
上述したように、較正テーブル（例えば、１つまたは複数のカメラの較正値を含む）を使用のために記憶することができる。さらに、較正は、画像取得時に、または略画像取得時に動的に行うことができる。
【００８５】
図２１は、シャッタ速度に基づいて実施する同期の種類を決定する手順の例示的な一実施形態を示す。ステップ２１０５において、カメラのシャッタ速度が識別される。ステップ２１１０において、第１のブレードがセンサの視野から出てから第２のシャッタブレードがセンサを遮蔽し始めるまでの撮像窓が、照明装置のプロファイルの初期臨界点とその照明装置の終期臨界点との間の時間よりも小さいほど、シャッタ速度が高速であるか否かが判断される。撮像窓が、臨界点の差よりも小さい場合、許容できないクリッピングがいくつかの例で生じる恐れがある。そのような場合、ステップ２１１０において、方法はステップ２１１５に進む。臨界点の時間差が、シャッタ速度の撮像窓内にある場合、方法はステップ２１２０に進む。ステップ２１１５において、上述したようなＦＰ型の発光を利用する同期が開始される。ステップ２１２０において、シャッタ速度が、カメラの最高Ｘ同期シャッタ速度（例えば、製造業者により格付けされる、様々なシャッタ速度で取得された画像の解析により特定される）以下であるか否かが判断される。シャッタ速度が最高Ｘ同期値以下である場合、方法はステップ２１２５に進む。シャッタ速度が最高Ｘ同期よりも大きい場合、方法はステップ２１３０に進む。ステップ２１２５において、従来のＸ同期信号が、発光開始に利用される。ステップ２１３０において、この例示的な実施態様では、発光を開始する２つのオプションが提供される。一例では、２つのオプションのいずれを選ぶかの判断は、ＦＰ同期信号がカメラから利用可能であるか否かを判断することにより行われる。ＦＰ同期信号が利用可能ではない場合、方法はステップ２１３５に進む。ＦＰ同期信号が利用可能な場合、方法はステップ２１５０に進む。ステップ２１３５において、カメラのデータ信号線上で電力設定コマンドが検出される。ステップ２１４０において、電力設定コマンドから所望の発光開始までの時間が、本明細書において考察される実施態様および／または実施形態のうちの任意の１つまたは複数を使用して特定される。ステップ２１４５において、非ＦＰ型発光が開始される。ステップ２１５０において、ＦＰ同期信号が検出される。ステップ２１５５において、ＦＰ同期信号から所望の発光開始までの時間が、本明細書において考察される実施態様および／または実施形態のうちの任意の１つまたは複数を使用して特定される。ステップ２１６０において、非ＦＰ型発光が開始される。
【００８６】
図２２は、カメラおよび画像を取得するために同期された１つまたは複数の照明装置を利用する画像取得の例示的なタイミングプロットを示す。タイミングプロット２２０５は、時間（ｘ軸）の経過に伴う電圧（ｙ軸）で測定されるカメラクロック信号を表す。タイミングプロット２２０５は、カメラの第１のシャッタブレードに関連付けられた磁石解放に関連する信号の開始時の電圧変更２２１０を示す。この例では、電圧変更２２１０は、カメラの第１のシャッタブレードがいつ移動停止したか（例えば、Ｘ同期）の信頼性の高い予測子として検出可能であった。タイミングプロット２２１５は、時間（ｘ軸）の経過に伴う電圧（ｙ軸）として、カメラのＸ同期信号を表す。タイミングプロット２２１５は、Ｘ同期の開始（例えば、カメラの第１のシャッタブレードが移動を停止する時点）を表す電圧変更２２２０を示す。タイミングプロット２２２５は、同期した照明装置の時間（ｘ軸）の経過に伴う発光強度（ｙ軸）プロファイルを表す。この例では、発光は、Ｘ同期信号に応答して開始された。発光曲線２２３０は、時間的に、Ｘ同期信号の開始後、完全に開始する。そのような同期システムおよび方法は通常、１／２５０秒以下（高速シャッタブレード移動時間を有するカメラの場合）または１／２００秒以下（より遅いシャッタブレード移動時間を有するカメラの場合）でのシャッタ速度のフラッシュ同期に制限される。
【００８７】
図２３は、早期同期を使用する例示的な画像取得の別のタイミングプロットセットを示す。このタイミングプロセットセットは、画像取得を始動した後のプロセスの時間的に早期の事象を示す。タイミングプロット２３０５は、カメラのクロック情報を表す。タイミングプロット２３１０は、カメラデータ信号を表す。タイミングプロット２３１５は、カメラのＸ同期線の監視を表す。タイミングプロット２３２０は、時間の経過に伴う光強度プロファイルを表す。画像取得の始動後であるが、ミラーがシャッタ機構への光路から出る前、カメラのクロック信号線２３０５およびデータ信号線２３１０は、情報のパルス２３２５を示す。これらのパルスは、ＴＴＬ電力設定コマンドを表す。ミラーが移動停止した後の時間において、磁石解放信号が、カメラクロック信号線２３０５上の電圧変更２３３０として示される。磁石解放信号２３３０から、第１のシャッタブレードの移動停止に関連付けられた時間（Ｘ同期線２３１５上の電圧変更２３３５として示される）までの時間は、早期同期システム（早期同期システム１３００等）により事前に学習されている。同期システムの閾値比較器がパルス２３２５を検出し、カメラに関して記憶されている情報（例えば、較正中に学習された）を参照して、プロセッサは、パルス２３２５を、クロック線２３０５上で次に発生するより大きな電圧変更が、ミラー解放信号を表す指示として識別した。次に、閾値比較器は、磁石解放信号２３３０を検出し、プロセッサは、この予測信号からこのカメラのＸ同期までの時間に関して記憶されている情報を求めてメモリを参照し、発光開始のタイミングについての情報を含む較正値を参照した。プロセッサは、第１のシャッタブレードがセンサへの通光を開始した後、かつ第１のシャッタブレードが２３３５において移動を停止する前の時間２３４０に発光を開始させるために間に合うように、発光開始信号を生成した。クロック線２３０５、データ線２３１０、およびＸ同期線２３１５は、カメラのホットシューコネクタを介して検出可能であった。図２３は、画像取得後のデータ転送もクロック線２３０５上の電圧変更２３４５およびデータ線２３１０上の電圧変更２３５０として示す。
【００８８】
図２４は、さらに別の例示的な画像取得の別のタイミングプロットセットを示す。この画像取得は、様々な例で上述したように、クロック線２４１５から検出される磁石解放信号からの、第１のシャッタブレード移動停止時間２４０５（Ｘ同期線２４１０上でのＸ同期の開始として見られる）の予測を利用した。第１のシャッタブレードがいつ移動を停止するかの特定から、ゼロ較正が適用された。この結果、照明装置の発光開始は時間２４２０に行われた。時間の経過に伴う発光強度のタイミングプロット２４２５に見られるように、発光開始２４２０は、第１のシャッタブレードの移動停止時間とおおよそ同じ時間（この移動停止時間前とは対照的に）に行われた。タイミングプロット２４２５は、発光プロファイルの理論的に導出された初期臨界点２４３０も示す。
【００８９】
図２５は、さらに別の例示的な画像取得の別のタイミングプロットセットを示す。この画像取得は、クロック線２５１５から検出される磁石解放信号からの、第１のシャッタブレード移動停止時間２５０５（Ｘ同期線２５１０上でのＸ同期の開始として見られる）の予測を利用した。第１のシャッタブレードがいつ移動を停止するかの特定から、２００マイクロ秒の較正が適用された。この結果、照明装置の発光開始は時間２５２０に行われた。時間の経過に伴う発光強度のタイミングプロット２５２５に見られるように、発光開始２５２０は、第１のシャッタブレードの移動停止時間の（おおよそ２００マイクロ秒）前に行われた。
【００９０】
図２６は、さらに別の例示的な画像取得の別のタイミングプロットセットを示す。この画像取得は、クロック線２６１５から検出される磁石解放信号からの、第１のシャッタブレード移動停止時間２６０５（Ｘ同期線２６１０上でのＸ同期の開始として見られる）の予測を利用した。第１のシャッタブレードがいつ移動を停止するかの特定から、４００マイクロ秒の較正が適用された。この結果、照明装置の発光開始は時間２６２０に行われた。時間の経過に伴う発光強度のタイミングプロット２６２６に見られるように、発光開始２６２０は、第１のシャッタブレードの移動停止時間の（おおよそ４００マイクロ秒）前に行われた。
【００９１】
図２７は、さらに別の例示的な画像取得の別のタイミングプロットセットを示す。これらのタイミングプロットは、カメラクロック線のタイミングプロット２７０５、カメラデータ線のタイミングプロット２７１０、カメラＸ同期線のタイミングプロット２７１５、ならびに画像取得、および早期同期システム（システム１３００等）が備えられた無線通信機能を有する遠隔照明装置および従来の同期信号の受信時に発光を開始するようにのみ較正された無線通信機能を有する別の遠隔照明装置の同期に関連付けられた無線送信の時間の経過に伴う無線周波数信号を表すタイミングプロット２７２０を含む。この例示的な実施態様では、ＴＴＬコマンドデータパルス２７２５が検出された。電力制御情報が、無線周波数を介して、ＲＦパルス２７３０として示されるように、遠隔装置のうちの１つまたは複数に送信された。パルス２７２５は、電圧降下２７３５で示される線２７０５上の次の完全な電圧降下が予測信号（この場合、磁石解放信号）を表すと判断するためにも使用された。第１のシャッタブレードが移動を停止する時間（電圧降下２７４０で示される）までの既知の時間および較正値を利用して、発光開始をいつ行うべきかを特定した。無線周波数を遠隔装置に送信する時間を利用して、早期同期データを管理可能な無線受信装置に無線送信すべきタイミング符号を決定した。例えば、第１のシャッタブレードが移動を停止するまでの時間が５ミリ秒（ｍｓ）であり、較正値が４００マイクロ秒であり、ＲＦを介して送信するまでの時間が５００マイクロ秒である場合、遠隔装置へのＲＦ送信は、予測信号が検出されてからおおよそ４．１ミリ秒の時間に行う必要がある。別の例（図２７に示される）では、タイミング符号遅延特徴を利用することができる。タイミング符号遅延特徴は、フラッシュ装置に対する発光開始信号を生成する前に、ある時間期間にわたって受信を遅延させるように受信無線装置に命令することができる。受信無線装置は、タイミング符号からの命令を受けて、そのような遅延を実行するために適切な回路および／機械可読命令を有する。そのような（上記からの数字を使用する）例では、カメラ側無線装置は、上記よりも早期にタイミング符号を送信し、それでもなお、発光を適切な時間に発生させることができる。例えば、２ミリ秒のタイミング符号遅延では、予測信号が検出されてからおおよそ２．１ミリ秒の時間に、ＲＦ信号を送信することができる。この例が、受信側での回路遅延を考慮に入れていないことに留意する。受信無線装置／早期フラッシュ同期装置および／またはカメラ側無線装置が、回路送信による既知の遅延を考慮に入れる回路、メモリ、および／または命令を含み得ることが意図される。例示的な一態様では、遅延情報と共にＲＦタイミング符号を早期に送信することにより、所望の発光開始時間前に、適宜変更された遅延を使用して複数のＲＦ送信（例えば、複数の区画化された遠隔装置、異なる種類の遠隔装置等への）を行うことができる。再び図２７に示される例を参照すると、ＲＦパルス２７４５は、タイミング符号遅延と共に、遅延データを管理するように構成された遠隔装置に送信された。第２のＲＦパルス２７５０は、標準の受信装置を有する遠隔フラッシュからの発光開始を、所望の開始時間に発生させる時間に送信された（例えば、上記例の理論上のタイミングデータを使用して、予測信号が検出されてからおおよそ４．１ミリ秒の時間に送信された）。このようにして、発光開始の同期に、複数の種類の受信装置を利用し得る。
【００９２】
図２８Ａは、無線周波数無線システムを使用して、Ｘ同期信号を使用するフラッシュ装置を同期させて、１／２００秒のシャッタ速度を有するフラッシュ写真撮影を使用して取得した写真２８０５を示す。図２８Ｂは、撮像センサへの通光を開始する位置に第１のシャッタブレードが移動した後、かつ第１のシャッタブレードが移動を停止する前に発光を開始するように構成された無線周波数無線システムを使用し、１／２００秒のシャッタ速度を有するフラッシュ写真撮影を使用して取得された写真２８１０を示す。
【００９３】
図２９Ａは、無線周波数無線システムを使用して、Ｘ同期信号を使用するフラッシュ装置を同期させて、１／２５０秒のシャッタ速度を有するフラッシュ写真撮影を使用して取得された写真２９０５を示す。図２９Ｂは、撮像センサへの通光を開始する位置に第１のシャッタブレードが移動した後、かつ第１のシャッタブレードが移動を停止する前に発光を開始するように構成された無線周波数無線システムを使用し、１／２５０秒のシャッタ速度を有するフラッシュ写真撮影を使用して取得した写真２９１０を示す。
【００９４】
図３０Ａは、無線周波数無線システムを使用して、Ｘ同期信号を使用するフラッシュ装置を同期させて、１／３２０秒のシャッタ速度を有するフラッシュ写真撮影を使用して取得された写真３００５を示す。図３０Ｂは、撮像センサへの通光を開始する位置に第１のシャッタブレードが移動した後、かつ第１のシャッタブレードが移動を停止する前に発光を開始するように構成された無線周波数無線システムを使用し、１／３２０秒のシャッタ速度を有するフラッシュ写真撮影を使用して取得した写真３０１０を示す。
【００９５】
図３１Ａは、無線周波数無線システムを使用して、Ｘ同期信号を使用するフラッシュ装置を同期させて、１／４００秒のシャッタ速度を有するフラッシュ写真撮影を使用して取得した写真３１０５を示す。図３１Ｂは、撮像センサへの通光を開始する位置に第１のシャッタブレードが移動した後、かつ第１のシャッタブレードが移動を停止する前に発光を開始するように構成された無線周波数無線システムを使用し、１／４００秒のシャッタ速度を有するフラッシュ写真撮影を使用して取得した写真３１１０を示す。
【００９６】
図３２Ａは、無線周波数無線システムを使用して、Ｘ同期信号を使用するフラッシュ装置を同期させて、１／５００秒のシャッタ速度を有するフラッシュ写真撮影を使用して取得した写真３２０５を示す。図３２Ｂは、撮像センサへの通光を開始する位置に第１のシャッタブレードが移動した後、かつ第１のシャッタブレードが移動を停止する前に発光を開始するように構成された無線周波数無線システムを使用し、１／５００秒のシャッタ速度を有するフラッシュ写真撮影を使用して取得した写真３２１０を示す。
【００９７】
図２８Ａ、図２９Ａ、図３０Ａ、図３１Ａ、および図３２Ａは、シャッタ速度が高速になるにつれて増大する、一縁部の「クリッピング」（画像暗化）を示す。１／２００秒では、標準のＸ同期は、許容可能であり得る少々のクリッピングを示す（例えば、クロッピングにより、画像の下部での暗化をなくし得る）。しかし、より高速の１／２５０秒では、標準のＸ同期は、はるかに大きなレベルのクリッピングを示す。これとは対照的に、図２８Ｂ、図２９Ｂ、図３０Ｂ、図３１Ｂ、および図３２Ｂは、予測信号の検出および第１のシャッタブレードが撮像センサへの通光を開始する位置に移動した後、かつ第１のシャッタブレードが移動を停止する前での発光の開始を使用する早期同期の例示的なプロセスを使用して、同期速度が高いほど、はるかに高い性能の例を示す。縁部での視覚的に検出可能な暗化のレベルは、１／４００秒以上の高速になるまで深刻ではない。このクリッピングは、場合によっては、較正オフセット値を調整することにより、画像から較正で除去することが可能である。
【００９８】
図３３は、内蔵フラッシュ装置３３０を有するカメラ３３０５の一例を示す。例示的な一実施態様では、カメラ３３０５は、カメラ３３０５の第１のシャッタブレードがカメラ３３０５の撮像センサへの通光を開始した後であるが、第１のシャッタブレードが移動を停止する前にフラッシュ装置３３１０が発光するように、発光開始信号を生成する、適切な回路および／またはカメラ３３０５の１つまたは複数の回路要素により実行可能な命令を含み得る。回路および／または命令は、本明細書において説明される実施態様および実施形態の他の態様のうちの任意の１つまたは複数を実施するようにも構成し得る。
【００９９】
図３４は、内蔵無線周波数無線送受信器（図示せず）を有するカメラ３４０５の一例を示す。送受信器は、送信３４１０等の無線周波数送信を介して１つまたは複数の遠隔装置と無線通信するために利用し得る。遠隔照明装置３４１５が示される。遠隔照明装置３４１５は、ホットシューマウント可能なスピードライトフラッシュ装置の一例である。カメラ３４０５の内蔵送受信器を利用して、遠隔照明装置３４１５および／または１つもしくは複数の他の種類の照明装置（例えば、１つもしくは複数の他のホットシューマウント可能なライト、１つもしくは複数のスタジオストローブ照明装置）と無線通信し得る。遠隔照明装置３４１５は、外付け無線装置３４２０に接続されて示される。任意の１つまたは複数の遠隔装置が内部無線機能を含み得ることが意図される。例示的な一実施態様では、カメラ３４０５は、カメラ３４０５の第１のシャッタブレードがカメラ３４０５の撮像センサへの通光を開始した後であるが第１のシャッタブレードが移動停止する前に発光が照明装置３４１５により開始されるように照明装置３４１５に通信するために、発光開始信号が無線装置３４２０に無線送信されるように発光開始信号を生成する、適切な回路および／またはカメラ３４０５の１つもしくは複数の回路要素により実行可能な命令を含み得る。別の例示的な実施態様では、カメラ３４０５は、第１のシャッタブレードの移動停止を特定する基となり得るカメラ３４０５の予測信号および／または予測事象を検出する、適切な回路および／またはカメラ３４０５の１つもしくは複数の回路要素（例えば、カメラ３４０５の内部無線機能に関連付けられた回路および／または機械実行可能命令）により実行可能な命令を含み得る。予測信号および／または予測事象を使用して、発光開始信号は、第１のシャッタブレードが撮像センサへの通光を開始した後であるが、第１のシャッタブレードが移動を停止する前に、発光が開始されるように生成することができる。予測信号および／または予測事象を使用する追加の態様および実施形態が上述されている。回路および／または命令は、本明細書において説明される実施態様および実施形態の他の態様のうちの任意の１つまたは複数を実施するようにも構成し得る。
【０１００】
図３５は、カメラ３５０５のホットシューコネクタを介して接続された外付け無線装置３５１０を有するカメラ３５０５の一例を示す。外付け無線装置は既知である。一態様では、外付け無線装置は、ホットシューコネクタの接点のうちの１つまたは複数を介して、データ（例えば、カメラデータおよび／またはフラッシュデータ）をカメラに通信し、かつ／またはカメラから通信するように構成し得る。カメラのホットシューに接続するように構成された外付け無線装置の例およびホットシューコネクタを介して通信する方法論の例については、２００８年５月２９日に出願された同時係属中の米国特許出願第１２／１２９，４０２号明細書にさらに詳細に考察されており、この特許出願を参照により本明細書に援用する。
【０１０１】
カメラ３５０５は、無線装置３５１０を利用して、送信３５１５等の無線送信を介して１つまたは複数の遠隔装置と無線通信し得る。遠隔照明装置３５２０は、ホットシューコネクタを介して無線装置３５２５に接続されて示される。上述したように、カメラは、画像取得のために１つまたは複数の照明装置を同期させるために、１つまたは複数の遠隔照明装置と通信し得る。１つまたは複数の遠隔照明装置のそれぞれは、外部無線機能、内部無線機能、またはこれらの任意の組み合わせを含み得る。例示的な一実施態様では、カメラ３５０５（および／または無線装置３５１０）は、カメラ３５０５の第１のシャッタブレードがカメラ３５０５の撮像センサへの通光を開始した後であるが第１のシャッタブレードが移動停止する前に発光が照明装置３５２０により開始されるように照明装置３５２０に通信するために、発光開始信号が無線装置３５２５に無線送信されるように発光開始信号を生成する、適切な回路（および／または１つもしくは複数の回路要素により実行可能な命令）を含み得る。別の例示的な実施態様では、カメラ３５０５（および／または無線装置３５１０）は、第１のシャッタブレードの移動停止を特定する基となり得るカメラ３５０５の予測信号および／または予測事象を検出する、適切な回路および／またはカメラ３５０５の１つもしくは複数の回路要素（例えば、カメラ３５０５の内部無線機能に関連付けられた回路および／または機械実行可能命令）により実行可能な命令を含み得る。予測信号および／または予測事象を使用して、発光開始信号は、第１のシャッタブレードが撮像センサへの通光を開始した後であるが、第１のシャッタブレードが移動を停止する前に、発光が開始されるように生成することができる。予測信号および／または予測事象を使用する追加の態様および実施形態が上述されている。回路および／または命令は、本明細書において説明される実施態様および実施形態の他の態様のうちの任意の１つまたは複数を実施するようにも構成し得る。
【０１０２】
図３６は、ホットシューコネクタを介して接続された外付け無線装置３６１０を有するカメラ３６０５の一例を示す。カメラ３６０５は、無線装置３６１０を利用して、無線機能３６２５（例えば、図示のような内部無線機能および／または外部無線機能）を有する１つまたは複数の遠隔照明装置３６２０と無線通信し得る（例えば、送信３６１５を介して）。ホットシューマウント可能なフラッシュ装置３６３０が、無線装置３６１０の第２のホットシューコネクタに接続される。例示的な一実施態様では、１つまたは複数の遠隔照明装置３６２０および／またはフラッシュ装置３６３０に、カメラ３６０５の第１のシャッタブレードがカメラ３６０５の撮像センサへの通光を開始した後であるが、第１のシャッタブレードが移動を停止する前に開始される発光を関連付け得る。そのような一実施態様では、無線装置３６１０は、発光開始のタイミングを特定する基となり得、それに従って開始信号が生成されるカメラ３６０５の予測信号および／または予測事象を検出する、適切な回路（および／または１つもしくは複数の回路要素により実行可能な命令）を含み得る。次に、開始信号を利用して、１つもしくは複数の照明装置３６２０および／またはフラッシュ装置３６３０による発光を開始し得る。予測信号および／または予測事象を使用する追加の態様および実施形態が上述されている。回路および／または命令は、本明細書において説明される実施態様および実施形態の他の態様のうちの任意の１つまたは複数を実施するようにも構成し得る。
【０１０３】
図３７は、例示的な早期同期システム３７００を示す。例示的な一態様では、早期同期システム３７００は、カメラの第１のシャッタブレードがカメラの撮像センサへの通光を開始するように移動した後、かつカメラの第１のシャッタブレードが移動を停止する前の時間に発光を開始する能力を提供し得る。一例では、早期同期システム３７００は、カメラ内部にある１つまたは複数の構成要素を含む。別の例では、早期同期システム３７００の１つまたは複数の構成要素は、カメラの第１のシャッタブレードがカメラの撮像センサへの通光を開始するように移動した後、かつカメラの第１のシャッタブレードが移動を停止する前の時間に発光を開始する能力をまだ有さないカメラに追加し得る。さらに別の例では、早期同期システム３７００は、写真無線通信装置（例えば、カメラおよび／または１つもしくは複数の遠隔装置に関連付けられた送信器、受信器、および／または送受信器）の部分である１つまたは複数の構成要素を含む。そのような一例では、写真無線通信装置の少なくとも一部は、カメラ内部にある。別のそのような例では、写真無線通信装置の少なくとも一部はカメラ外部にある。
【０１０４】
早期同期システム３７００は、プロセッサ３７０５を含む。プロセッサ３７０５は共有処理要素であり得る。一例では、プロセッサ３７０５は、カメラの他の機能と共有し得る。別の例では、プロセッサ３７０５は、写真無線通信装置の他の機能と共有し得る。プロセッサ３７０５の機能のうちの１つは、１つまたは複数の照明装置３７１５の発光を開始させる発光開始信号３７１０の生成を含み得る。代替の実施態様では、早期同期システム３７００は、プロセッサ３７０５とは別個の発光開始信号生成器を含み得る。プロセッサ３７０５は、カメラの回路および／または電子回路３７２０と電気通信するように構成される。一例では、プロセッサ３７０５は、回路および／または電子回路３７２０に電気的に接続される（例えば、電気配線および／または他の電気接点を介して）。別の例では、プロセッサ３７０５は、カメラの回路および／または電子回路３７２０に接続するように構成された１つまたは複数のコネクタ（図示せず）に接続される。外付け装置をカメラの内部回路および／または電子回路に電気的に接続するコネクタが既知である。そのようなコネクタの例としては、フラッシュ同期コネクタ、ホットシューコネクタ、ＰＣフラッシュ同期コネクタ（用語ＰＣが、この例では、「パーソナルコンピュータ」ではなく、写真業界規格「ＰＣコネクタ」を指すために使用されていることに留意する）、ユニバーサルシリアルバス（「ＵＳＢ」）コネクタ、ファイアワイヤコネクタ、所与のカメラ製造業者にプロプライエタリのコネクタ、モータ駆動式コネクタ、およびこれらの任意の組み合わせが挙げられるが、これらに限定されない。
【０１０５】
早期同期システム３７００は、オプションとして、回路および／または電子回路３７２０に電気的に接続され、かつ／またはそのように電気的に接続されて、予測信号および／またはカメラの予測事象の指示を検出（例えば、受信）するように構成された予測信号検出器３７２５を含み得る。予測信号検出器３７２５は、予測信号および／または予測事象を検出し、その検出をプロセッサ３７０５および／または他の発光開始信号生成機能に通信する回路および／または機械実行可能命令を含み得る。一例では、予測信号検出器３７２５は、閾値比較器を含む。別の例では、予測信号検出器３７２５は、プロセッサ要素（例えば、プロセッサ要素３７０５）の入／出力（Ｉ／Ｏ）ポートを含む。そのような一例では、予測信号検出器３７２５の少なくとも一部は、プロセッサ３７０５と共通の構成要素と共有し得る。
【０１０６】
早期同期システム３７００はメモリ３７３０を含む。メモリ３７３０は、データおよび／または他の情報を記憶可能な任意のメモリ装置であり得る。メモリ装置の例としては、ランダムアクセスメモリ、読み取り専用メモリ、フラッシュメモリ、ハードドライブメモリ装置、光学メモリ装置、およびこれらの任意の組み合わせが挙げられるが、これらに限定されない。メモリ３７３０は、プロセッサ３７０５と電気通信して示される。代替の実施態様では、メモリ３７３０は、情報記憶機能を必要とし得る早期同期システム３７００の任意の１つまたは複数の追加の構成要素と直接および／または間接的に電気的に通信し得る（かつ／またはそのように電気的に接続するように構成し得る）。メモリ３７３０は、別個の構成要素として示される。メモリ３７３０および／または早期同期システム３７００の他の任意の構成要素が、その任意の部分を別の構成要素と共有し得ることが意図される。メモリ３７３０および／または早期同期システム３７００の他の任意の構成要素を２つ以上の構成要素に分割してもよいことも意図される。メモリ３７３０は、例として、較正時間値、時間増分ではない他の較正値、カメラの型式に関するデータ、予測信号および／または予測事象から第１のシャッタブレードが移動を停止するまでの時間に関するデータ、１つまたは複数の時間遅延係数、上述した他の較正値、シャッタ速度相関、第１のシャッタブレードが撮像センサへの露光を開始した後、かつ第１のシャッタブレードの移動停止に関連付けられたＸ同期前での発光開始命令に関する情報、ならびにこれらの任意の組み合わせが挙げられるが、これらに限定されない情報を（例えば、１つまたは複数のテーブルに）含み得る。
【０１０７】
早期同期システム３７００は、オプションとして、１つまたは複数のデータ入力１０５を含み得る。１つまたは複数のデータ入力１０５は、早期同期システム３７００のプロセッサ３７０５、メモリ３７３０、および／または他の構成要素と電気的に通信し得、かつ／または電気的に接続するように構成し得る。データ入力の例としては、ダイアル、トリガー、タッチスクリーン、ＵＳＢコネクタ、別のデータコネクタ、およびこれらの任意の組み合わせが挙げられるが、これらに限定されない。一例では、ＵＳＢコネクタを、早期同期システム３７００と対話するソフトウェアプログラムを有する計算装置（例えば、ラップトップまたはデスクトップコンピュータ等の汎用計算装置）に接続し得る。そのような一例では、ソフトウェアプログラムは、データ（例えば、較正時間値、時間増分ではない他の較正値、カメラの型式に関するデータ、予測信号および／または予測事象から第１のシャッタブレードが移動を停止するまでの時間に関するデータ、１つまたは複数の時間遅延係数等）を入力するグラフィカルユーザインタフェースを提供し得る。そのようなデータはメモリ３７３０に記憶し得る。
【０１０８】
１つまたは複数のデータ入力３７３５は、情報をシステム３７００から（例えば、ユーザに）伝達するデータ／情報出力（図示せず）により達成し得る。データ／情報出力の例としては、ＬＥＤ、ＬＣＤ、表示画面、音声装置、およびこれらの任意の組み合わせが挙げられるが、これらに限定されない。
【０１０９】
図３８は、写真無線通信装置３８０５の複数の図を示す。無線通信装置３８０５は、情報を１つまたは複数の遠隔装置に無線で送信する内部送信構成要素（図示せず）と、内部アンテナ構成要素（図示せず）とを含む。無線通信装置３８０５は、図３７のシステム３７００等の早期同期システムの構成要素も含む。無線通信装置３８０５は、カメラのホットシューコネクタに接続し、カメラの回路および／または電子回路との電気的な通信（例えば、データ、クロック、および／またはＸ同期信号の通信）を提供するように構成された第１のホットシューコネクタ３８１０を含む。無線通信装置３８０５は、ホットシューコネクタを有する別の装置を、無線通信装置３８０５の上部に接続可能にするように構成された第２のホットシューコネクタ３８１５を含む。一例では、スピードライトフラッシュ装置をホットシューコネクタ３８１５に接続し得る。無線通信装置３８０５は、ホットシューコネクタ３８１０をカメラの対応するホットシューにしっかりと接続するための締め付けリング３８２０も含む。
【０１１０】
無線通信装置３８０５は、無線通信装置３８０５および内部の早期同期機能に情報を入出力するためのＵＳＢデータコネクタ３８２５を含む。入力３８３０および入力３８３５は、情報入力および制御を無線通信装置３８０５に提供する。無線通信装置３８０５は、情報を出力する光学出力要素３８４０を含む。
【０１１１】
例示的な一実施態様では、予測信号が、ホットシューコネクタ３８１０の接点のうちの１つまたは複数を通して、接続されたカメラから検出される。無線通信装置３８０５は、ホットシューコネクタ３８１０を介して、カメラの型式およびカメラの動作のシャッタ速度を表すデータも受信し得る。無線通信装置３８０５のプロセッサは、カメラの型式を表すデータと、予測信号から、カメラの第１のシャッタブレードが移動を停止する時間までの対応する時間との相関を有するメモリにアクセスする。プロセッサは、受信したカメラの動作のシャッタ速度に対する較正値を表すデータについてもメモリにアクセスする。較正値、その型式のカメラの場合での予測信号から第１のシャッタブレードが停止するまでの既知の時間、および予測信号の検出時間に基づいて、プロセッサは、発光開始信号を生成し、その信号を、遠隔照明装置にそれぞれ関連付けられた１つまたは複数の無線受信装置に送信する。この例では、無線通信装置３８０５のプロセッサは、発光開始信号を生成する際に、カメラの第１のシャッタブレードがセンサへの通光を開始するように移動してから、第１のシャッタブレードが移動を停止するまでの所望の時間に発光の開始が行われるように、無線通信および回路通信に必要な時間を考慮に入れる。
【０１１２】
さらに別の例示的な実施態様では、無線遠隔装置は、様々な照明装置の発光開始から初期臨界点までの様々な時間を処理するように構成し得る。一例では、スピードライトは、フラッシュ開始から初期臨界点までに４０マイクロ秒を有し、スタジオストロボフラッシュは、フラッシュ開始から初期臨界点までに１００マイクロ秒を有し得る。カメラから離れた無線早期同期装置（例えば、カメラに接続された遠隔フラッシュ装置）は、様々なフラッシュの様々な時間についてのデータを記憶したメモリを有し得る。例えば、スピードライトが（例えば、ホットシューコネクタに）接続される場合、同期装置は、スピードライトについて記憶されている値に基づいてオフセットを利用し得る。別の例では、ストロボが（例えば、ミニフォンコネクタに）接続される場合、同期装置は、ストロボフラッシュについて記憶されている値に基づいてオフセットを利用し得る。受信器側のオフセットを利用して、所望の発光開始時間が特定され（上述したように）、遠隔照明装置に送信される際、様々な照明装置が、シーンに対して検出可能な光を同時に寄与する（例えば、それぞれの初期臨界点が同時に発生するように、それぞれの開始時間が互いにオフセットされる）ことを保証することができる。
【０１１３】
上述したような１つもしくは複数の回路要素を使用して、本明細書において説明される態様および実施形態を都合良く実施し得、かつ／または本明細書の教示に従ってプログラムされたカメラ、無線通信装置、および照明装置内に含め得ることに留意されたい。適切な回路および他の電子構成要素と組み合わせるために適切なソフトウェア符号化が、ソフトウェア分野の当業者には明らかになるように、本開示の教示に基づいて熟練したプログラマにより容易に準備することができる。
【０１１４】
そのようなソフトウェアは、機械可読媒体を利用するコンピュータプログラム製品であり得る。機械可読媒体は、機械（例えば、プロセッサ、カメラの他の電気構成要素、無線通信装置、フラッシュ装置）により実行される命令シーケンスを記憶し、かつ／または符号化可能であり、かつ本明細書において説明される方法および／または実施形態のうちの任意の１つを機械に実行させる任意の媒体であり得る。機械可読媒体の例としては、磁気ディスク（例えば、従来のフロッピーディスク、ハードドライブディスク）、光ディスク（例えば、読み取り可能、書き込み可能、かつ／または書き換え可能なＣＤ等のコンパクトディスク「ＣＤ」、読み取り可能、書き込み可能、かつ／または書き換え可能なＤＶＤ等のデジタルビデオディスク「ＤＶＤ」）、光磁気ディスク、読み取り専用メモリ「ＲＯＭ」装置、ランダムアクセスメモリ「ＲＡＭ」装置、磁気カード、光学カード、固体状態メモリ装置（例えば、フラッシュメモリ）、ＥＰＲＯＭ、ＥＥＰＲＯＭ、およびこれらの任意の組み合わせが挙げられるが、これらに限定されない。本明細書において使用される機械可読媒体は、単一の媒体ならびに例えば、コンパクトディスクの集まりまたはコンピュータメモリと組み合わせられた１つもしくは複数のハードドライブディスク等の物理的に別個の媒体の集まりを含む可能性を包含することを意図する。
【０１１５】
例示的な実施形態を上記において開示し、添付図面に示した。本発明の趣旨および範囲から逸脱せずに、本明細書において特に開示される実施形態に対して、様々な変更、省略、および追加を行い得ることが当業者には理解されよう。
【図１】
2012517624.tif 000004
【図２】
2012517624.tif 000005
【図３】
2012517624.tif 000006
【図４】
2012517624.tif 000007
【図５】
2012517624.tif 000008
【図６】
2012517624.tif 000009
【図７】
2012517624.tif 000010
【図９】
2012517624.tif 000011
【図１０】
2012517624.tif 000012
【図１１】
2012517624.tif 000013
【図１２】
2012517624.tif 000014
【図１３】
2012517624.tif 000015
【図１４】
2012517624.tif 000016
【図１５】
2012517624.tif 000017
【図１６】
2012517624.tif 000018
【図１７】
2012517624.tif 000019
【図１８】
2012517624.tif 000020
【図１９】
2012517624.tif 000021
【図２０】
2012517624.tif 000022
【図２１】
2012517624.tif 000023
【図２２】
2012517624.tif 000024
【図２３】
2012517624.tif 000025
【図２４】
2012517624.tif 000026
【図２５】
2012517624.tif 000027
【図２６】
2012517624.tif 000028
【図２７】
2012517624.tif 000029
【図２８Ａ】
2012517624.tif 000030
【図２８Ｂ】
2012517624.tif 000031
【図２９Ａ】
2012517624.tif 000032
【図２９Ｂ】
2012517624.tif 000033
【図３０Ａ】
2012517624.tif 000034
【図３０Ｂ】
2012517624.tif 000035
【図３１Ａ】
2012517624.tif 000036
【図３１Ｂ】
2012517624.tif 000037
【図３２Ａ】
2012517624.tif 000038
【図３２Ｂ】
2012517624.tif 000039
【図３３】
2012517624.tif 000040
【図３４】
2012517624.tif 000041
【図３５】
2012517624.tif 000042
【図３６】
2012517624.tif 000043
【図３７】
2012517624.tif 000044
【図３８】
2012517624.tif 000045
【図８】
2012517624.tif 000046
【国際調査報告】
2012517624.tif 000047
2012517624.tif 000048
2012517624.tif 000049